(57)【要約】  キャリアアグリゲーションを行うための端末装置（ＵＥ）が記載される。ＵＥは、プロセッサと、プロセッサと電子通信を行うメモリに記憶された命令とを含む。複数の在圏セルが設定される。ＵＥは、在圏セルのための下りリンク（ＤＬ）アソシエーションセット中のサブフレームに対してＤＬアサインメントをもつ要素の最大数を定義する第１のパラメータを確定する。ＵＥは、第１のパラメータに従って在圏セルに関する物理下りリンク共有チャネル（ＰＤＳＣＨ）ハイブリッド自動再送要求肯定応答／否定応答（ＨＡＲＱ−ＡＣＫ）情報を確定する。ＵＥは、ＰＤＳＣＨ  ＨＡＲＱ−ＡＣＫ情報を送信する。
2017511016.tif 000002
【特許請求の範囲】
【請求項１】
キャリアアグリゲーションを行うための端末装置（ＵＥ）であって、
プロセッサと；
前記プロセッサと電子通信を行うメモリとを備え、前記メモリに記憶された命令は、
在圏セルのための前記下りリンク（ＤＬ）アソシエーションセット中のサブフレームに対してＤＬアサインメントをもつ要素の最大数を定義する第１のパラメータを確定するためであって、複数の在圏セルが設定される、前記確定するため；
前記第１のパラメータに従って前記在圏セルに関する物理下りリンク共有チャネル（ＰＤＳＣＨ）ハイブリッド自動再送要求肯定応答／否定応答（ＨＡＲＱ−ＡＣＫ）情報を確定するため；および
前記ＰＤＳＣＨ  ＨＡＲＱ−ＡＣＫ情報を送信するために
実行可能である、
ＵＥ。
【請求項２】
前記命令は、前記第１のパラメータを基地局装置（ｅＮＢ）からの上位レイヤ・シグナリングによって受信するためにさらに実行可能である、請求項１に記載のＵＥ。
【請求項３】
前記第１のパラメータは、４として予め定義される、請求項１に記載のＵＥ。
【請求項４】
前記ＵＥがチャネルセレクションを伴う物理上りリンク制御チャネル（ＰＵＣＣＨ）フォーマット１ｂを用いて構成される場合、前記第１のパラメータがセットされていると想定される、請求項３に記載のＵＥ。
【請求項５】
前記第１のパラメータに従って前記在圏セルに関する前記ＰＤＳＣＨ  ＨＡＲＱ−ＡＣＫ情報を確定することは、前記第１のパラメータに従って前記在圏セルに関するＨＡＲＱ−ＡＣＫビットの数を確定することを含む、請求項１に記載のＵＥ。
【請求項６】
前記命令は、
チャネルセレクションを伴う物理上りリンク制御チャネル（ＰＵＣＣＨ）フォーマット１ｂを用いて前記ＵＥを構成するため；および
前記ＰＤＳＣＨ  ＨＡＲＱ−ＡＣＫ情報をチャネルセレクションを伴うＰＵＣＣＨフォーマット１ｂを用いて送信するためであって、前記在圏セルにおける前記ＤＬアソシエーションセットの前記サブフレームに対する要素の前記数は、「ｍａｘ（Ｍｐｒｉｍａｒｙ，ｍｉｎ（Ｍｓｅｃｏｎｄａｒｙ，Ｍｃｏｎｆｉｇ））」に等しく、「Ｍｐｒｉｍａｒｙ」は、プライマリセルにおける前記ＤＬアソシエーションセットの前記サブフレームに対する要素の前記数であり、「Ｍｓｅｃｏｎｄａｒｙ」は、セカンダリセルにおける前記ＤＬアソシエーションセットの前記サブフレームに対する要素の前記数であり、「Ｍｃｏｎｆｉｇ」は、前記第１のパラメータである、前記送信するために
さらに実行可能である、請求項１に記載のＵＥ。
【請求項７】
前記プライマリセルは、｛０，１，２，３，４，６｝の前記セットにおけるＴＤＤ  ＵＬ／ＤＬ構成に属するＤＬ参照上りリンク／下りリンク（ＵＬ／ＤＬ）構成をもつ時分割複信（ＴＤＤ）セルであり、前記セカンダリセルは、周波数分割複信（ＦＤＤ）セルである、請求項６に記載のＵＥ。
【請求項８】
すべての在圏セルは、時分割複信（ＴＤＤ）セルであり、前記プライマリセルのＤＬ参照上りリンク／下りリンク（ＵＬ／ＤＬ）構成は、｛０，１，２，３，４，６｝の前記セットにおけるＴＤＤ  ＵＬ／ＤＬ構成に属し、前記セカンダリセルのＤＬ参照ＵＬ／ＤＬ構成は、ＴＤＤ  ＵＬ／ＤＬ構成５に属する、請求項６に記載のＵＥ。
【請求項９】
前記命令は、
物理上りリンク制御チャネル（ＰＵＣＣＨ）フォーマット３を用いて前記ＵＥを構成するため；
前記在圏セルのための前記ＤＬアソシエーションセット中の前記サブフレームに対してＤＬアサインメントをもつ要素の前記数と、前記第１のパラメータとの間の前記最小数に基づいて前記在圏セルに関する前記ＰＤＳＣＨ  ＨＡＲＱ−ＡＣＫ情報を生成するため、および
前記ＰＤＳＣＨ  ＨＡＲＱ−ＡＣＫ情報をＰＵＣＣＨフォーマット３を用いて送信するために
さらに実行可能である、請求項１に記載のＵＥ。
【請求項１０】
プライマリセルは、時分割複信（ＴＤＤ）セルであり、セカンダリセルは、周波数分割複信（ＦＤＤ）セルである、請求項９に記載のＵＥ。
【請求項１１】
すべての在圏セルは、時分割複信（ＴＤＤ）セルであり、プライマリセルのＤＬ参照上りリンク／下りリンク（ＵＬ／ＤＬ）構成は、｛０，１，２，３，４，６｝の前記セットにおけるＴＤＤ  ＵＬ／ＤＬ構成に属する、請求項９に記載のＵＥ。
【請求項１２】
キャリアアグリゲーションを行うための基地局装置（ｅＮＢ）であって、
プロセッサと；
前記プロセッサと電子通信を行うメモリとを備え、前記メモリに記憶された命令は、
在圏セルのための前記下りリンク（ＤＬ）アソシエーションセット中のサブフレームに対してＤＬアサインメントをもつ要素の最大数を定義する第１のパラメータを確定するためであって、複数の在圏セルが設定される、前記確定するため；および
前記在圏セルに関する物理下りリンク共有チャネル（ＰＤＳＣＨ）ハイブリッド自動再送要求肯定応答／否定応答（ＨＡＲＱ−ＡＣＫ）情報を受信するためであって、前記ＰＤＳＣＨ  ＨＡＲＱ−ＡＣＫ情報は、前記第１のパラメータに従って確定される、前記受信するために
実行可能である、
ｅＮＢ。
【請求項１３】
前記命令は、端末装置（ＵＥ）への上位レイヤ・シグナリングによって前記第１のパラメータを送信するためにさらに実行可能である、請求項１２に記載のｅＮＢ。
【請求項１４】
前記第１のパラメータは、４として予め定義される、請求項１２に記載のｅＮＢ。
【請求項１５】
端末装置（ＵＥ）がチャネルセレクションを伴う物理上りリンク制御チャネル（ＰＵＣＣＨ）フォーマット１ｂを用いて構成される場合、前記第１のパラメータがセットされていると想定される、請求項１４に記載のｅＮＢ。
【請求項１６】
前記在圏セルに関する前記ＰＤＳＣＨ  ＨＡＲＱ−ＡＣＫ情報を確定することは、前記第１のパラメータに従って前記在圏セルに関するＨＡＲＱ−ＡＣＫビットの数を確定することを備える、請求項１２に記載のｅＮＢ。
【請求項１７】
前記命令は、
チャネルセレクションを伴う物理上りリンク制御チャネル（ＰＵＣＣＨ）フォーマット１ｂを用いて端末装置（ＵＥ）を構成するため；および
チャネルセレクションを伴うＰＵＣＣＨフォーマット１ｂを用いて前記ＰＤＳＣＨ  ＨＡＲＱ−ＡＣＫ情報を受信するためであって、前記在圏セルにおける前記ＤＬアソシエーションセットの前記サブフレームに対する要素の前記数は、「ｍａｘ（Ｍｐｒｉｍａｒｙ，ｍｉｎ（Ｍｓｅｃｏｎｄａｒｙ，Ｍｃｏｎｆｉｇ））」に等しく、「Ｍｐｒｉｍａｒｙ」は、プライマリセルにおける前記ＤＬアソシエーションセットの前記サブフレームに対する要素の前記数であり、「Ｍｓｅｃｏｎｄａｒｙ」は、セカンダリセルにおける前記ＤＬアソシエーションセットの前記サブフレームに対する要素の前記数であり、「Ｍｃｏｎｆｉｇ」は、前記第１のパラメータである、前記受信するために
さらに実行可能である、請求項１２に記載のｅＮＢ。
【請求項１８】
前記プライマリセルは、｛０，１，２，３，４，６｝の前記セットにおけるＴＤＤ  ＵＬ／ＤＬ構成に属するＤＬ参照上りリンク／下りリンク（ＵＬ／ＤＬ）構成をもつ時分割複信（ＴＤＤ）セルであり、前記セカンダリセルは、周波数分割複信（ＦＤＤ）セルである、請求項１７に記載のｅＮＢ。
【請求項１９】
すべての在圏セルは、時分割複信（ＴＤＤ）セルであり、前記プライマリセルのＤＬ参照上りリンク／下りリンク（ＵＬ／ＤＬ）構成は、｛０，１，２，３，４，６｝の前記セットにおけるＴＤＤ  ＵＬ／ＤＬ構成に属し、前記セカンダリセルのＤＬ参照ＵＬ／ＤＬ構成は、ＴＤＤ  ＵＬ／ＤＬ構成５に属する、請求項１７に記載のｅＮＢ。
【請求項２０】
前記命令は、
物理上りリンク制御チャネル（ＰＵＣＣＨ）フォーマット３を用いて端末装置（ＵＥ）を構成するため；および
前記ＰＤＳＣＨ  ＨＡＲＱ−ＡＣＫ情報をＰＵＣＣＨフォーマット３を用いて受信するためであって、前記ＰＤＳＣＨ  ＨＡＲＱ−ＡＣＫ情報は、前記在圏セルのための前記ＤＬアソシエーションセット中の前記サブフレームに対してＤＬアサインメントをもつ要素の前記数と、前記第１のパラメータとの間の前記最小数に基づいて生成される、前記受信するために
さらに実行可能である、
請求項１２に記載のｅＮＢ。
【請求項２１】
プライマリセルは、時分割複信（ＴＤＤ）セルであり、セカンダリセルは、周波数分割複信（ＦＤＤ）セルである、請求項２０に記載のｅＮＢ。
【請求項２２】
すべての在圏セルは、時分割複信（ＴＤＤ）セルであり、プライマリセルのＤＬ参照上りリンク／下りリンク（ＵＬ／ＤＬ）構成は、｛０，１，２，３，４，６｝の前記セットにおけるＴＤＤ  ＵＬ／ＤＬ構成に属する、請求項２０に記載のｅＮＢ。
【請求項２３】
端末装置（ＵＥ）によってキャリアアグリゲーションを行うための方法であって、
在圏セルのための前記下りリンク（ＤＬ）アソシエーションセット中のサブフレームに対してＤＬアサインメントをもつ要素の最大数を定義する第１のパラメータを確定するステップであって、複数の在圏セルが設定される、前記確定するステップと；
前記第１のパラメータに従って前記在圏セルに関する物理下りリンク共有チャネル（ＰＤＳＣＨ）ハイブリッド自動再送要求肯定応答／否定応答（ＨＡＲＱ−ＡＣＫ）情報を確定するステップと；
前記ＰＤＳＣＨ  ＨＡＲＱ−ＡＣＫ情報を送信するステップと
を備える、方法。
【請求項２４】
前記第１のパラメータに従って前記在圏セルに関する前記ＰＤＳＣＨ  ＨＡＲＱ−ＡＣＫ情報を確定するステップは、前記第１のパラメータに従って前記在圏セルに関するＨＡＲＱ−ＡＣＫビットの数を確定することを備える、請求項２３に記載の方法。
【請求項２５】
チャネルセレクションを伴う物理上りリンク制御チャネル（ＰＵＣＣＨ）フォーマット１ｂを用いて前記ＵＥを構成するステップと；
チャネルセレクションを伴うＰＵＣＣＨフォーマット１ｂを用いて前記ＰＤＳＣＨ  ＨＡＲＱ−ＡＣＫ情報を送信するステップであって、前記在圏セルにおける前記ＤＬアソシエーションセットの前記サブフレームに対する要素の前記数は、「ｍａｘ（Ｍｐｒｉｍａｒｙ，ｍｉｎ（Ｍｓｅｃｏｎｄａｒｙ，Ｍｃｏｎｆｉｇ））」に等しく、「Ｍｐｒｉｍａｒｙ」は、プライマリセルにおける前記ＤＬアソシエーションセットの前記サブフレームに対する要素の前記数であり、「Ｍｓｏｃｏｎｄａｒｙ」は、セカンダリセルにおける前記ＤＬアソシエーションセットの前記サブフレームに対する要素の前記数であり、「Ｍｃｏｎｆｉｇ」は、前記第１のパラメータである、前記送信するステップと
をさらに備える、請求項２３に記載の方法。
【請求項２６】
物理上りリンク制御チャネル（ＰＵＣＣＨ）フォーマット３を用いて前記ＵＥを構成するステップと；
前記在圏セルのための前記ＤＬアソシエーションセット中の前記サブフレームに対してＤＬアサインメントをもつ要素の前記数と、前記第１のパラメータとの間の前記最小数に基づいて前記在圏セルに関する前記ＰＤＳＣＨ  ＨＡＲＱ−ＡＣＫ情報を生成するステップと；
ＰＵＣＣＨフォーマット３を用いて前記ＰＤＳＣＨ  ＨＡＲＱ−ＡＣＫ情報を送信するステップと
をさらに備える、請求項２３に記載の方法。
【請求項２７】
基地局装置（ｅＮＢ）によってキャリアアグリゲーションを行うための方法であって、
在圏セルのための前記下りリンク（ＤＬ）アソシエーションセット中のサブフレームに対してＤＬアサインメントをもつ要素の最大数を定義する第１のパラメータを確定するステップであって、複数の在圏セルが設定される、前記確定するステップと；
前記在圏セルに関する物理下りリンク共有チャネル（ＰＤＳＣＨ）ハイブリッド自動再送要求肯定応答／否定応答（ＨＡＲＱ−ＡＣＫ）情報を受信するステップであって、前記ＰＤＳＣＨ  ＨＡＲＱ−ＡＣＫ情報は、前記第１のパラメータに従って確定される、前記受信するステップと
を備える、方法。
【請求項２８】
前記在圏セルに関する前記ＰＤＳＣＨ  ＨＡＲＱ−ＡＣＫ情報を確定するステップは、前記第１のパラメータに従って前記在圏セルに関するＨＡＲＱ−ＡＣＫビットの数を確定することを備える、請求項２７に記載の方法。
【請求項２９】
チャネルセレクションを伴う物理上りリンク制御チャネル（ＰＵＣＣＨ）フォーマット１ｂを用いて端末装置（ＵＥ）を構成するステップと；
チャネルセレクションを伴うＰＵＣＣＨフォーマット１ｂを用いて前記ＰＤＳＣＨ  ＨＡＲＱ−ＡＣＫ情報を受信するステップであって、前記在圏セルにおける前記ＤＬアソシエーションセットの前記サブフレームに対する要素の前記数は、「ｍａｘ（Ｍｐｒｉｍａｒｙ，ｍｉｎ（Ｍｓｅｃｏｎｄａｒｙ，Ｍｃｏｎｆｉｇ））」に等しく、「Ｍｐｒｉｍａｒｙ」は、プライマリセルにおける前記ＤＬアソシエーションセットの前記サブフレームに対する要素の前記数であり、「Ｍｓｅｃｏｎｄａｒｙ」は、セカンダリセルにおける前記ＤＬアソシエーションセットの前記サブフレームに対する要素の前記数であり、「Ｍｃｏｎｆｉｇ」は、前記第１のパラメータである、前記受信するステップと
をさらに備える、請求項２７に記載の方法。
【請求項３０】
物理上りリンク制御チャネル（ＰＵＣＣＨ）フォーマット３を用いて端末装置（ＵＥ）を構成するステップと；
ＰＵＣＣＨフォーマット３を用いて前記ＰＤＳＣＨ  ＨＡＲＱ−ＡＣＫ情報を受信するステップであって、前記ＰＤＳＣＨ  ＨＡＲＱ−ＡＣＫ情報は、前記在圏セルのための前記ＤＬアソシエーションセット中の前記サブフレームに対してＤＬアサインメントをもつ要素の前記数と、前記第１のパラメータとの間の前記最小数に基づいて生成される、前記受信するステップと
をさらに備える、請求項２７に記載の方法。
【発明の詳細な説明】
【技術分野】
【０００１】
本開示は、一般に、通信システムに関する。より具体的には、本開示は、キャリアアグリゲーションのための拡張物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）レポーティングに関する。
【背景技術】
【０００２】
ワイヤレス通信デバイスは、消費者ニーズを満たし、可搬性と便利さとを改善するためにより小さく、より強力になった。消費者は、ワイヤレス通信デバイスに依存するようになり、高信頼性のサービス、カバレッジエリアの拡大および機能性の向上を期待するようになった。ワイヤレス通信システムは、多数のワイヤレス通信デバイスに通信を提供し、それぞれのデバイスが基地局によるサービスを享受する。基地局は、ワイヤレス通信デバイスと通信するデバイスである。
【０００３】
ワイヤレス通信デバイスが進歩するにつれて、通信容量、速度、フレキシビリティおよび／または効率の向上が求められてきた。しかしながら、通信容量、速度、フレキシビリティおよび／または効率を向上させることがいくつかの問題を提起する。
【０００４】
例えば、ワイヤレス通信デバイスは、通信構造を用いて１つ以上のデバイスと通信する。しかしながら、用いられる通信構造は、限られたフレキシビリティおよび／または効率を提供するに過ぎない。この考察によって示されるように、通信のフレキシビリティおよび／または効率を向上させるシステムおよび方法が有益であろう。
【発明の概要】
【課題を解決するための手段】
【０００５】
本発明の一実施形態は、キャリアアグリゲーションを行うための端末装置（ＵＥ：ｕｓｅｒ  ｅｑｕｉｐｍｅｎｔ）を開示し、ＵＥは、プロセッサと、プロセッサと電子通信を行うメモリとを備え、メモリに記憶された命令は、在圏セルのための下りリンク（ＤＬ：ｄｏｗｎｌｉｎｋ）アソシエーションセット中のサブフレームに対してＤＬアサインメントをもつ要素の最大数を定義する第１のパラメータを確定するためであって、複数の在圏セルが設定される、確定するため；第１のパラメータに従って在圏セルに関する物理下りリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）ハイブリッド自動再送要求肯定応答／否定応答（ＨＡＲＱ−ＡＣＫ：ｈｙｂｒｉｄ  ａｕｔｏｍａｔｉｃ  ｒｅｐｅａｔ  ｒｅｑｕｅｓｔ  ａｃｋｎｏｗｌｅｄｇｅｍｅｎｔ／ｎｅｇａｔｉｖｅ  ａｃｋｎｏｗｌｅｄｇｅｍｅｎｔ）情報を確定するため；およびＰＤＳＣＨ  ＨＡＲＱ−ＡＣＫ情報を送信するために実行可能である。
【０００６】
本発明の別の実施形態は、キャリアアグリゲーションを行うための基地局装置（ｅＮＢ：ｅｖｏｌｖｅｄ  Ｎｏｄｅ  Ｂ）を開示し、ｅＮＢは、プロセッサと、プロセッサと電子通信を行うメモリとを備え、メモリに記憶された命令は、在圏セルのための下りリンク（ＤＬ）アソシエーションセット中のサブフレームに対してＤＬアサインメントをもつ要素の最大数を定義する第１のパラメータを確定するためであって、複数の在圏セルが設定される、確定するため；および在圏セルに関する物理下りリンク共有チャネル（ＰＤＳＣＨ）ハイブリッド自動再送要求肯定応答／否定応答（ＨＡＲＱ−ＡＣＫ）情報を受信するためであって、ＰＤＳＣＨ  ＨＡＲＱ−ＡＣＫ情報が第１のパラメータに従って確定される、受信するために実行可能である。
【０００７】
本発明の別の実施形態は、端末装置（ＵＥ）によってキャリアアグリゲーションを行うための方法を開示し、方法は、在圏セルのための下りリンク（ＤＬ）アソシエーションセット中のサブフレームに対してＤＬアサインメントをもつ要素の最大数を定義する第１のパラメータを確定するステップであって、複数の在圏セルが設定される、確定するステップと；第１のパラメータに従って在圏セルに関する物理下りリンク共有チャネル（ＰＤＳＣＨ）ハイブリッド自動再送要求肯定応答／否定応答（ＨＡＲＱ−ＡＣＫ）情報を確定するステップと；ＰＤＳＣＨ  ＨＡＲＱ−ＡＣＫ情報を送信するステップとを備える。
【０００８】
本発明の別の実施形態は、基地局装置（ｅＮＢ）によってキャリアアグリゲーションを行うための方法を開示し、方法は、在圏セルのための下りリンク（ＤＬ）アソシエーションセット中のサブフレームに対してＤＬアサインメントをもつ要素の最大数を定義する第１のパラメータを確定するステップであって、複数の在圏セルが設定される、確定するステップと；在圏セルに関する物理下りリンク共有チャネル（ＰＤＳＣＨ）ハイブリッド自動再送要求肯定応答／否定応答（ＨＡＲＱ−ＡＣＫ）情報を受信するステップであって、ＰＤＳＣＨ  ＨＡＲＱ−ＡＣＫ情報が第１のパラメータに従って確定される、受信するステップとを備える。
【図面の簡単な説明】
【０００９】
【図１】キャリアアグリゲーションのためのシステムおよび方法が実装された１つ以上の基地局装置（ｅＮＢ）および１つ以上の端末装置（ＵＥ）の一構成を示すブロック図である。
【図２】ＵＥによってキャリアアグリゲーションを行うための方法の一実装を示すフロー図である。
【図３】ｅＮＢによってキャリアアグリゲーションを行うための方法の一実装を示すフロー図である。
【図４】本明細書に開示されるシステムおよび方法に従って用いられる無線フレームの一例を示す図である。
【図５】本明細書に記載されるシステムおよび方法によるいくつかの時分割複信（ＴＤＤ：ｔｉｍｅ−ｄｉｖｉｓｉｏｎ  ｄｕｐｌｅｘｉｎｇ）上り下りリンク（ＵＬ／ＤＬ：ｕｐｌｉｎｋ−ｄｏｗｎｌｉｎｋ）構成を示す図である。
【図６】周波数分割複信（ＦＤＤ：ｆｒｅｑｕｅｎｃｙ−ｄｉｖｉｓｉｏｎ  ｄｕｐｌｅｘｉｎｇ）セルのアソシエーション・タイミングを示す。
【図７】ＵＥによってキャリアアグリゲーションを行うための方法の詳細な構成を示すフロー図である。
【図８】ＵＥによってキャリアアグリゲーションを行うための方法の別の詳細な構成を示すフロー図である。
【図９】ＴＤＤプライマリセル（ＰＣｅｌｌ：ｐｒｉｍａｒｙ  ｃｅｌｌ）およびＦＤＤセカンダリセル（ＳＣｅｌｌ：ｓｅｃｏｎｄａｒｙ  ｃｅｌｌ）のアソシエーション・タイミングの一構成を示す。
【図１０】ＴＤＤ  ＰＣｅｌｌおよびＦＤＤ  ＳＣｅｌｌのアソシエーション・タイミングの別の構成を示す。
【図１１】ＵＥにおいて利用される様々なコンポーネントを示す。
【図１２】ｅＮＢにおいて利用される様々なコンポーネントを示す。
【図１３】キャリアアグリゲーションを行うためのシステムおよび方法が実装されたＵＥの一構成を示すブロック図である。
【図１４】キャリアアグリゲーションを行うためのシステムおよび方法が実装されたｅＮＢの一構成を示すブロック図である。
【発明を実施するための形態】
【００１０】
キャリアアグリゲーションを行うための端末装置（ＵＥ）が記載される。ＵＥは、プロセッサと、プロセッサと電子通信を行うメモリとを含む。実行可能な命令は、メモリに記憶される。複数の在圏セルが設定される。ＵＥは、在圏セルのための下りリンク（ＤＬ）アソシエーションセット中のサブフレームに対してＤＬアサインメントをもつ要素の最大数を定義する第１のパラメータを確定する。ＵＥは、第１のパラメータに従って在圏セルに関する物理下りリンク共有チャネル（ＰＤＳＣＨ）ハイブリッド自動再送要求肯定応答／否定応答（ＨＡＲＱ−ＡＣＫ）情報を確定する。ＵＥは、ＰＤＳＣＨ  ＨＡＲＱ−ＡＣＫ情報を送信する。
【００１１】
ＵＥは、第１のパラメータを基地局装置（ｅＮＢ）からの上位レイヤ・シグナリングによって受信してもよい。第１のパラメータは、４として予め定義されてもよい。ＵＥがチャネルセレクションを伴う物理上りリンク制御チャネル（ＰＵＣＣＨ）フォーマット１ｂを用いて構成される場合、第１のパラメータがセットされていると想定される。第１のパラメータに従って在圏セルに関するＰＤＳＣＨ  ＨＡＲＱ−ＡＣＫ情報を確定するステップは、第１のパラメータに従って在圏セルに関するＨＡＲＱ−ＡＣＫビットの数を確定することを含む。
【００１２】
ＵＥは、チャネルセレクションを伴うＰＵＣＣＨフォーマット１ｂを用いて構成されてもよい。ＵＥは、ＰＤＳＣＨ  ＨＡＲＱ−ＡＣＫ情報をチャネルセレクションを伴うＰＵＣＣＨフォーマット１ｂを用いて送信してもよい。在圏セルにおけるＤＬアソシエーションセットのサブフレームに対する要素の数は、「ｍａｘ（Ｍｐｒｉｍａｒｙ，ｍｉｎ（Ｍｓｅｃｏｎｄａｒｙ，Ｍｃｏｎｆｉｇ））」に等しくてもよい。「Ｍｐｒｉｍａｒｙ」は、プライマリセルにおけるＤＬアソシエーションセットのサブフレームに対する要素の数である。「Ｍｓｅｃｏｎｄａｒｙ」は、セカンダリセルにおけるＤＬアソシエーションセットのサブフレームに対する要素の数である。「Ｍｃｏｎｆｉｇ」は、第１のパラメータである。
【００１３】
プライマリセルは、｛０，１，２，３，４，６｝のセットにおけるＴＤＤ  ＵＬ／ＤＬ構成に属するＤＬ参照ＵＬ／ＤＬ構成をもつＴＤＤセルであってもよい。セカンダリセルは、ＦＤＤセルであってもよい。
【００１４】
すべての在圏セルがＴＤＤセルであってもよい。プライマリセルのＤＬ参照ＵＬ／ＤＬ構成が｛０，１，２，３，４，６｝のセットにおけるＴＤＤ  ＵＬ／ＤＬ構成に属してもよい。セカンダリセルのＤＬ参照ＵＬ／ＤＬ構成がＴＤＤ  ＵＬ／ＤＬ構成５に属してもよい。
【００１５】
ＵＥは、ＰＵＣＣＨフォーマット３を用いて構成されてもよい。ＵＥは、在圏セルのためのＤＬアソシエーションセット中のサブフレームに対してＤＬアサインメントをもつ要素の数と、第１のパラメータとの間の最小数に基づいて在圏セルに関するＰＤＳＣＨ  ＨＡＲＱ−ＡＣＫ情報を生成してもよい。ＵＥは、ＰＤＳＣＨ  ＨＡＲＱ−ＡＣＫ情報をＰＵＣＣＨフォーマット３を用いて送信してもよい。
【００１６】
一構成においては、プライマリセルがＴＤＤセルであり、セカンダリセルがＦＤＤセルであってもよい。別の構成では、すべての在圏セルがＴＤＤセルであってもよい。プライマリセルのＤＬ参照ＵＬ／ＤＬ構成が｛０，１，２，３，４，６｝のセットにおけるＴＤＤ  ＵＬ／ＤＬ構成に属してもよい。
【００１７】
キャリアアグリゲーションを行うための基地局装置（ｅＮＢ）も記載される。ｅＮＢは、プロセッサと、プロセッサと電子通信を行うメモリとを含む。実行可能な命令は、メモリに記憶される。複数の在圏セルが設定される。ｅＮＢは、在圏セルのためのＤＬアソシエーションセット中のサブフレームに対してＤＬアサインメントをもつ要素の最大数を定義する第１のパラメータを確定する。ｅＮＢは、在圏セルに関するＰＤＳＣＨ  ＨＡＲＱ−ＡＣＫ情報を受信する。ＰＤＳＣＨ  ＨＡＲＱ−ＡＣＫ情報は、第１のパラメータに従って確定される。
【００１８】
ｅＮＢは、第１のパラメータを上位レイヤ・シグナリングによってＵＥへ送信してもよい。第１のパラメータは、４として予め定義されてもよい。ＵＥがチャネルセレクションを伴う物理上りリンク制御チャネル（ＰＵＣＣＨ）フォーマット１ｂを用いて構成される場合、第１のパラメータがセットされていると想定される。在圏セルに関するＰＤＳＣＨ  ＨＡＲＱ−ＡＣＫ情報を確定するステップは、第１のパラメータに従って在圏セルに関するＨＡＲＱ−ＡＣＫビットの数を確定することを含む。
【００１９】
ｅＮＢは、また、チャネルセレクションを伴うＰＵＣＣＨフォーマット１ｂを用いてＵＥを構成してもよい。ｅＮＢは、さらに、ＰＤＳＣＨ  ＨＡＲＱ−ＡＣＫ情報をチャネルセレクションを伴うＰＵＣＣＨフォーマット１ｂを用いて受信してもよい。在圏セルにおけるＤＬアソシエーションセットのサブフレームに対する要素の数は、「ｍａｘ（Ｍｐｒｉｍａｒｙ，ｍｉｎ（Ｍｓｅｃｏｎｄａｒｙ，Ｍｃｏｎｆｉｇ））」に等しくてもよい。「Ｍｐｒｉｍａｒｙ」は、プライマリセルにおけるＤＬアソシエーションセットのサブフレームに対する要素の数である。「Ｍｓｅｃｏｎｄａｒｙ」は、セカンダリセルにおけるＤＬアソシエーションセットのサブフレームに対する要素の数である。「Ｍｃｏｎｆｉｇ」は、第１のパラメータである。
【００２０】
プライマリセルは、｛０，１，２，３，４，６｝のセットにおけるＴＤＤ  ＵＬ／ＤＬ構成に属するＤＬ参照ＵＬ／ＤＬ構成をもつＴＤＤセルであってもよい。セカンダリセルは、ＦＤＤセルであってもよい。
【００２１】
すべての在圏セルがＴＤＤセルであってもよく、プライマリセルのＤＬ参照ＵＬ／ＤＬ構成が｛０，１，２，３，４，６｝のセットにおけるＴＤＤ  ＵＬ／ＤＬ構成に属してもよい。セカンダリセルのＤＬ参照ＵＬ／ＤＬ構成がＴＤＤ  ＵＬ／ＤＬ構成５に属してもよい。
【００２２】
ｅＮＢ、また、ＰＵＣＣＨフォーマット３を用いてＵＥを構成してもよい。ｅＮＢは、さらに、ＰＤＳＣＨ  ＨＡＲＱ−ＡＣＫ情報をＰＵＣＣＨフォーマット３を用いて受信してもよい。ＰＤＳＣＨ  ＨＡＲＱ−ＡＣＫ情報は、在圏セルのためのＤＬアソシエーションセット中のサブフレームに対してＤＬアサインメントをもつ要素の数と、第１のパラメータとの間の最小数に基づいて生成される。
【００２３】
一構成においては、プライマリセルがＴＤＤセルであり、セカンダリセルがＦＤＤセルであってもよい。別の構成では、すべての在圏セルがＴＤＤセルであってもよい。プライマリセルのＤＬ参照ＵＬ／ＤＬ構成が｛０，１，２，３，４，６｝のセットにおけるＴＤＤ  ＵＬ／ＤＬ構成に属してもよい。
【００２４】
ＵＥによってキャリアアグリゲーションを行うための方法も記載される。方法は、在圏セルのためのＤＬアソシエーションセット中のサブフレームに対してＤＬアサインメントをもつ要素の最大数を定義する第１のパラメータを確定するステップを含む。複数の在圏セルが設定される。方法は、第１のパラメータに従って在圏セルに関するＰＤＳＣＨ  ＨＡＲＱ−ＡＣＫ情報を確定するステップも含む。方法は、ＰＤＳＣＨ  ＨＡＲＱ−ＡＣＫ情報を送信するステップをさらに含む。
【００２５】
ｅＮＢによってキャリアアグリゲーションを行うための方法も記載される。方法は、在圏セルのためのＤＬアソシエーションセット中のサブフレームに対してＤＬアサインメントをもつ要素の最大数を定義する第１のパラメータを確定するステップを含む。複数の在圏セルが設定される。方法は、在圏セルに関するＰＤＳＣＨ  ＨＡＲＱ−ＡＣＫ情報を受信するステップも含む。ＰＤＳＣＨ  ＨＡＲＱ−ＡＣＫ情報は、第１のパラメータに従って確定される。
【００２６】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、イボルブド・ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）およびイボルブド・ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【００２７】
本明細書に開示されるシステムおよび方法の少なくともいくつかの態様は、３ＧＰＰ  ＬＴＥ、ＬＴＥアドバンスト（ＬＴＥ−Ａ：ＬＴＥ−Ａｄｖａｎｃｅｄ）および他の規格（例えば、３ＧＰＰリリース８、９、１０、１１および／または１２）に関して記載される。しかしながら、本開示の範囲は、この点で限定されるべきではない。本明細書に開示されるシステムおよび方法の少なくともいくつかの態様は、他のタイプのワイヤレス通信システムにおいて利用されてもよい。
【００２８】
ワイヤレス通信デバイスは、音声および／またはデータを基地局へ通信するために用いられる電子デバイスであり、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信する。本明細書においてシステムおよび方法を記載するときに、ワイヤレス通信デバイスは、代わりに、移動局、ＵＥ、アクセス端末、加入者局、移動端末、遠隔局、ユーザ端末、端末、加入者ユニット、モバイルデバイスなどと呼ばれる。ワイヤレス通信デバイスの例は、セルラーフォン、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様では、ワイヤレス通信デバイスは、典型的にＵＥと呼ばれる。しかしながら、本開示の範囲は３ＧＰＰ規格に限定されるべきではないので、より一般的な用語「ワイヤレス通信デバイス」を意味するために本明細書では用語「ＵＥ」および「ワイヤレス通信デバイス」が同義で用いられる。
【００２９】
３ＧＰＰ仕様では、基地局は、典型的にＮｏｄｅ  Ｂ、ｅＮＢ、ｈｏｍｅ  ｅｎｈａｎｃｅｄまたはｅｖｏｌｖｅｄ  Ｎｏｄｅ  Ｂ（ＨｅＮＢ）あるいはいくつかの他の同様の用語で呼ばれる。本開示の範囲は３ＧＰＰ規格に限定されるべきではないので、より一般的な用語「基地局」を意味するために本明細書では用語「基地局」、「Ｎｏｄｅ  Ｂ」、「ｅＮＢ」および「ＨｅＮＢ」が同義で用いられる。そのうえ、「基地局」の一例は、アクセスポイントである。アクセスポイントは、ワイヤレス通信デバイスのためにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスである。用語「通信デバイス」は、ワイヤレス通信デバイスおよび／または基地局の両方を示すために用いられる。
【００３０】
本明細書では、「セル」は、インターナショナル・モバイル・テレコミュニケーションズ−アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に用いるために規格化または規制団体によって仕様が定められたいずれかの通信チャネルであり、ｅＮＢとＵＥとの間の通信に用いるための認可されたバンド（例えば、周波数バンド）としてそのすべてまたはそのサブセットが３ＧＰＰによって採用されることに留意すべきである。同様に留意すべきは、Ｅ−ＵＴＲＡ、Ｅ−ＵＴＲＡＮの全体的な記載において、本明細書では、「セル」が「下りリンク・リソースおよび随意的に上りリンク・リソースの組み合わせ」として定義されることである。下りリンク・リソースのキャリア周波数と上りリンク・リソースのキャリア周波数とのリンキングが下りリンク・リソース上で送信されるシステム情報中に示されてもよい。
【００３１】
「設定されたセル（ｃｏｎｆｉｇｕｒｅｄ  ｃｅｌｌ）」は、ＵＥが認識しており、情報を送信または受信することがｅＮＢによって許可されたセルである。「設定されたセル（単数または複数）」は、在圏セル（単数または複数）であってもよい。ＵＥは、すべての設定されたセル上でシステム情報を受信して必要な測定を行う。無線接続のための「設定されたセル（単数または複数）」は、プライマリセル、および／または０、１つまたはそれ以上のセカンダリセル（単数または複数）からなってもよい。「アクティブ化されたセル（ａｃｔｉｖａｔｅｄ  ｃｅｌｌ）」は、ＵＥが送受信を行っている設定されたセルである。すなわち、アクティブ化されたセルは、ＵＥが物理下りリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）をモニタする対象となるセルであり、下りリンク送信のケースでは、ＵＥが物理下りリンク共有チャネル（ＰＤＳＣＨ）を復号する対象となるセルである。「非アクティブ化されたセル（ｄｅａｃｔｉｖａｔｅｄ  ｃｅｌｌ）」は、ＵＥが送信ＰＤＣＣＨをモニタしていない設定されたセルである。留意すべきは、「セル」が異なる次元の観点から記述されることである。例えば、「セル」は、時間、空間（例えば、地理）および周波数特性を有する。
【００３２】
キャリアアグリゲーション（ＣＡ：ｃａｒｒｉｅｒ  ａｇｇｒｅｇａｔｉｏｎ）が設定されるときに、ＵＥは、ネットワークとの１つの無線リソース制御（ＲＲＣ：ｒａｄｉｏ  ｒｅｓｏｕｒｃｅ  ｃｏｎｔｒｏｌ）接続を有する。１つの無線インターフェースがキャリアアグリゲーションを提供してもよい。ＲＲＣ接続確立、再確立およびハンドオーバの間に、１つの在圏セルが非アクセス層（ＮＡＳ：ｎｏｎ−ａｃｃｅｓｓ  ｓｔｒａｔｕｍ）モビリティ情報（例えば、トラッキングエリア・アイデンティティ（ＴＡＩ：ｔｒａｃｋｉｎｇ  ａｒｅａ  ｉｄｅｎｔｉｔｙ））を提供する。ＲＲＣ接続再確立およびハンドオーバの間に、１つの在圏セルがセキュリティ入力を供給してもよい。このセルは、プライマリセル（ＰＣｅｌｌ）と呼ばれる。下りリンクでは、ＰＣｅｌｌに対応するコンポーネントキャリアが下りリンク・プライマリコンポーネントキャリア（ＤＬ  ＰＣＣ：ｄｏｗｎｌｉｎｋ  ｐｒｉｍａｒｙ  ｃｏｍｐｏｎｅｎｔ  ｃａｒｒｉｅｒ）であり、一方で上りリンクでは、ＰＣｅｌｌに対応するコンポーネントキャリアは、上りリンク・プライマリコンポーネントキャリア（ＵＬ  ＰＣＣ：ｕｐｌｉｎｋ  ｐｒｉｍａｒｙ  ｃｏｍｐｏｎｅｎｔ  ｃａｒｒｉｅｒ）である。
【００３３】
ＵＥの能力に依存して、ＰＣｅｌｌとともに在圏セルのセットを形成するために１つ以上のＳＣｅｌｌが設定されもよい。下りリンクでは、ＳＣｅｌｌに対応するコンポーネントキャリアが下りリンク・セカンダリコンポーネントキャリア（ＤＬ  ＳＣＣ：ｄｏｗｎｌｉｎｋ  ｓｅｃｏｎｄａｒｙ  ｃｏｍｐｏｎｅｎｔ  ｃａｒｒｉｅｒ）であり、一方で上りリンクでは、ＳＣｅｌｌに対応するコンポーネントキャリアが上りリンク・セカンダリコンポーネントキャリア（ＵＬ  ＳＣＣ：ｕｐｌｉｎｋ  ｓｅｃｏｎｄａｒｙ  ｃｏｍｐｏｎｅｎｔ  ｃａｒｒｉｅｒ）である。
【００３４】
ＵＥのための在圏セルの設定されたセットは、それゆえに、１つのＰＣｅｌｌおよび１つ以上のＳＣｅｌｌからなる。ＳＣｅｌｌごとに、ＵＥによる（下りリンク・リソースに加えて）上りリンク・リソースの使用法が構成可能であってもよい。設定されるＤＬ  ＳＣＣの数は、ＵＬ  ＳＣＣの数以上であってもよく、上りリンク・リソースのみの使用のためにＳｃｅｌｌが何も設定されなくてもよい。
【００３５】
ＵＥの観点から、各上りリンク・リソースが１つの在圏セルに属してもよい。設定されてもよい在圏セルの数は、ＵＥのアグリゲーション能力に依存する。ＰＣｅｌｌは、ハンドオーバ手順を用いて（例えば、セキュリティ・キー変更およびランダムアクセスチャネル（ＲＡＣＨ：ｒａｎｄｏｍ  ａｃｃｅｓｓ  ｃｈａｎｎｅｌ）手順によって）のみ変更される。ＰＣｅｌｌは、ＰＵＣＣＨの送信に用いられる。ＳＣｅｌｌとは異なり、ＰＣｅｌｌは、非アクティブ化されない。再確立は、ＰＣｅｌｌが無線リンク障害（ＲＬＦ：ｒａｄｉｏ  ｌｉｎｋ  ｆａｉｌｕｒｅ）を経験したときにトリガされ、ＳＣｅｌｌがＲＬＦを経験したときにはトリガされない。そのうえ、ＮＡＳ情報は、ＰＣｅｌｌから取得される。
【００３６】
ＳＣｅｌｌの再設定、追加および除去は、ＲＲＣによって行われる。ＬＴＥ内ハンドオーバにおいて、ＲＲＣは、ＳＣｅｌｌをターゲットＰＣｅｌｌとともに用いるためにやはり追加、除去または再設定する。新しいＳＣｅｌｌを追加するとき、ＳＣｅｌｌのすべての必要なシステム情報を送信するために専用のＲＲＣシグナリングが用いられる（例えば、接続モードの間に、ＵＥがブロードキャストされたシステム情報を直接にＳＣｅｌｌから取得する必要はない）。
【００３７】
本明細書に開示されるシステムおよび方法は、キャリアアグリゲーションを記載する。いくつかの実装において、本明細書に開示されるシステムおよび方法は、ハイブリッド複信を用いたＬＴＥ拡張キャリアアグリゲーション（ｅＣＡ：ｅｎｈａｎｃｅｄ  ｃａｒｒｉｅｒ  ａｇｇｒｅｇａｔｉｏｎ）を記載する。特に、システムおよび方法は、時分割複信（ＴＤＤ）および周波数分割複信（ＦＤＤ）キャリアアグリゲーション（ＣＡ）において用いられる、下りリンク（ＤＬ）アソシエーションセットおよびＰＤＳＣＨハイブリッド自動再送要求肯定応答／否定応答（ＨＡＲＱ−ＡＣＫ）送信タイミングを記載する。１つのケースでは、プライマリセル（ＰＣｅｌｌ）が上りリンク制御情報（ＵＣＩ：ｕｐｌｉｎｋ  ｃｏｎｔｒｏｌ  ｉｎｆｏｒｍａｔｉｏｎ）をレポートしてもよい。別のケースでは、ＵＣＩに関するレポーティング・セルとしてセカンダリセル（ＳＣｅｌｌ）が設定されてもよい。
【００３８】
キャリアアグリゲーションは、１つより多いキャリアの同時利用を指す。キャリアアグリゲーションでは、１つより多いセルがＵＥに対してアグリゲートされる。一例では、キャリアアグリゲーションは、ＵＥに利用可能な有効バンド幅を増加させるために用いられる。リリース１０におけるＴＤＤ  ＣＡ、およびリリース１１におけるバンド内ＣＡに対しては同じＴＤＤ上り下りリンク（ＵＬ／ＤＬ）構成を用いなければならない。リリース１１では、異なるＴＤＤ  ＵＬ／ＤＬ構成を用いたバンド間ＴＤＤ  ＣＡがサポートされる。異なるＴＤＤ  ＵＬ／ＤＬ構成を用いたバンド間ＴＤＤ  ＣＡは、ＣＡ配置におけるＴＤＤネットワークのフレキシビリティを提供する。そのうえ、トラフィックアダプテーションを伴う拡張された干渉管理（ｅＩＭＴＡ：ｅｎｈａｎｃｅｄ  ｉｎｔｅｒｆｅｒｅｎｃｅ  ｍａｎａｇｅｍｅｎｔ  ｗｉｔｈ  ｔｒａｆｆｉｃ  ａｄａｐｔａｔｉｏｎ）（動的ＵＬ／ＤＬ再構成とも呼ばれる）は、ネットワークトラフィック負荷に基づくフレキシブルなＴＤＤ  ＵＬ／ＤＬ再構成を可能にする。
【００３９】
本明細書では、用語「同時の」およびその変形は、２つ以上のイベントが互いに時間的に重なり合ってもよく、および／または互いに接近した時間に発生してもよいことを示すことに留意すべきである。加えて、「同時の」およびその変形は、２つ以上のイベントが正確に同じ時間に発生することを意味してもしなくてもよい。
【００４０】
ＦＤＤセルは、スペクトルの連続的なサブセットがＵＬまたはＤＬのいずれかに完全に割り当てられるが、両方には割り当てられないスペクトル（例えば、無線通信周波数またはチャネル）を必要とする。従って、ＦＤＤは、対をなすキャリア周波数（例えば、対をなすＤＬおよびＵＬキャリア周波数）を有する。しかしながら、ＴＤＤは、対をなすチャネルを必要としない。その代わりに、ＴＤＤは、ＵＬおよびＤＬリソースを同じキャリア周波数上に割り当てる。それゆえに、ＴＤＤは、スペクトルの使用法により多くのフレキシビリティを提供する。ワイヤレスネットワーク・トラフィックの増加に伴い、かつスペクトル資源が非常に貴重になるにつれて、新たに割り当てられるスペクトルは、フラグメント化される傾向にあってより狭いバンド幅を有し、ＴＤＤおよび／またはスモールセル配置にはより適している。そのうえ、ＴＤＤは、種々のＴＤＤ  ＵＬ／ＤＬ構成および動的なＤＬ／ＵＬ再構成によるトラフィックアダプテーションを通じてフレキシブルなチャネル使用法を提供する。
【００４１】
キャリアアグリゲーションにおいては、すべての設定されたセルのＨＡＲＱ−ＡＣＫビットをＰＣｅｌｌの物理上りリンク制御チャネル（ＰＵＣＣＨ）上か、または物理上りリンク共有チャネル（ＰＵＳＣＨ）上でレポートできる。３ＧＰＰリリース１０および１１では、ＦＤＤセルのためのＣＡ、および同じかまたは異なるＵＬ／ＤＬ構成を用いたＴＤＤセルのためのＣＡが指定される。ＴＤＤセルとＦＤＤセルとの間のキャリアアグリゲーション（例えば、ＴＤＤ−ＦＤＤ  ＣＡ）に対するサポートは、３ＧＰＰリリース１２で導入された。ＴＤＤセルとＦＤＤセルとは、非常に異なるＨＡＲＱ−ＡＣＫレポーティング・メカニズムを有する。本明細書に記載されるシステムおよび方法は、ＴＤＤ−ＦＤＤ  ＣＡおよびＴＤＤ  ＣＡに対して拡張されたＰＵＣＣＨレポーティングを提供する。
【００４２】
現在、ＴＤＤに関して、ＵＥが１つより多い在圏セルを用いて構成される場合、構成５がいずれかのセルに設定されるか、または在圏セルのＤＬ参照ＵＬ／ＤＬ構成として用いられるならば、チャネルセレクションを伴うＰＵＣＣＨフォーマット１ｂはサポートされない。これは、ＡＣＫ／ＮＡＣＫビットの数が非常に小さいいくつかの上りリンクサブフレームでのチャネルセレクションの使用法を限定する。ＤＬ参照ＵＬ／ＤＬ構成がＵＬ／ＤＬ構成５である在圏セルでは、ＰＵＣＣＨフォーマット３を設定しなければならず、すべてのＤＬまたはスペシャルサブフレームのＡＣＫ／ＮＡＣＫビットがＰＵＣＣＨ上で生成され、レポートされる。これは、ＰＵＣＣＨフォーマット３上に非常に大きいペイロードを生じさせる。その結果として、同じかまたは異なるＵＬ／ＤＬ構成をもつＴＤＤ  ＣＡにＵＬ／ＤＬ構成５が用いられる場合には２つの在圏セルをサポートできるに過ぎない。
【００４３】
ＴＤＤは、フレーム構造タイプ２によって表すことができ、一方でＦＤＤは、フレーム構造タイプ１によって表すことができる。フレーム構造タイプ２をもつ１つより多い在圏セルのアグリゲーションをサポートするＵＥは、フレーム構造タイプ２をもつ１つより多い在圏セルを用いて構成されたときのＨＡＲＱ−ＡＣＫの送信にチャネルセレクションを伴うＰＵＣＣＨフォーマット１ｂか、またはＰＵＣＣＨフォーマット３のいずれかを用いるように上位レイヤによって構成される。
【００４４】
フレーム構造タイプ２をもつ１つより多い在圏セルのアグリゲーションをサポートするＵＥは、フレーム構造タイプ２をもつ１つの在圏セルを用いて構成されたときのＨＡＲＱ−ＡＣＫの送信にＨＡＲＱ−ＡＣＫバンドリング、チャネルセレクションを伴うＰＵＣＣＨフォーマット１ｂ、またはＰＵＣＣＨフォーマット３を用いるように上位レイヤによって構成される。チャネルセレクションを伴うＰＵＣＣＨフォーマット１ｂは、現在、ＴＤＤ  ＵＬ／ＤＬ構成５ではサポートされない。
【００４５】
ＴＤＤ−ＦＤＤ  ＣＡに関して、ＰＣｅｌｌがＴＤＤセルであり、ＳＣｅｌｌがＦＤＤセルであるケースでは、ＨＡＲＱ−ＡＣＫタイミングに対して２つの選択肢が用いられる。ＴＤＤ−ＦＤＤ  ＣＡに対する第１の選択肢では、ＤＬアソシエーションセットは、ＦＤＤセルに対してＤＬアソシエーションセットのＨＡＲＱ−ＡＣＫがＴＤＤ  ＰＣｅｌｌのサブセットまたはすべての上りリンクサブフレームへレポートされるように定義される。この第１の選択肢を用いると、いくつかのケースでは（例えば、ＦＤＤ  ＳＣｅｌｌがＵＬ／ＤＬ構成２またはＵＬ／ＤＬ構成４を用いてマッピングされる場合）、ＤＬアソシエーションセットが５つのＤＬサブフレームを有してもよい。それゆえに、ＤＬアソシエーションセット中の４つまでのサブフレームをサポートする既存のチャネルセレクション方法を直接に用いることができない。
【００４６】
ＴＤＤ−ＦＤＤ  ＣＡに対する第２の選択肢では、ＤＬ参照ＵＬ／ＤＬ構成が無線リソース制御（ＲＲＣ）シグナリングによって設定される。この選択肢では、同じかまたは異なるＵＬ／ＤＬ構成を用いた既存のＴＤＤ  ＣＡを再使用できる。この選択肢を用いると、ＦＤＤ  ＳＣｅｌｌのＤＬ参照ＵＬ／ＤＬ構成ではＵＬとして示されたＤＬサブフレームをＴＤＤ−ＦＤＤ  ＣＡのＵＥに対するいずれのＰＤＳＣＨ送信にも用いることができない。ＴＤＤ−ＦＤＤ  ＣＡのＵＥに用いることができる潜在的なＤＬサブフレームを最大にするためには、最大のＤＬアロケーションをもつＵＬ／ＤＬ構成を用いるべきである。しかしながら、既知の解決法によれば、ＦＤＤ  ＳＣｅｌｌがＵＬ／ＤＬ構成５を用いて構成される場合、ＰＣｅｌｌ  ＴＤＤのＵＬ／ＤＬ構成に係わらず、チャネルセレクションを用いることができない。そのうえ、ＵＬ／ＤＬ構成５の使用は、アグリゲートされるセルの数をさらに限定する。例えば、ＦＤＤ  ＳＣｅｌｌがＤＬ参照ＵＬ／ＤＬ構成としてＵＬ／ＤＬ構成５を用いて構成される場合には２つのセルをアグリゲートできるに過ぎない。
【００４７】
両方の選択肢において、セット中のＤＬサブフレームの数が４より大きい場合にはＦＤＤ  ＳＣｅｌｌ上でのチャネルセレクションを伴うＰＵＣＣＨフォーマット１ｂのサポートに係る問題がある。そのうえ、ＰＵＣＣＨフォーマット３におけるペイロードが大きくなりがちであり、サポートされるセルの最大数を減少させる。
【００４８】
本明細書に記載されるシステムおよび方法は、ＤＬアソシエーションセット中のＤＬサブフレームの数が４より大きいときのＨＡＲＱ−ＡＣＫ多重およびレポーティングを提供する。一構成において、ＤＬアソシエーションセット中のＤＬサブフレームの数が４より大きいときに、チャネルセレクションを伴うＰＵＣＣＨフォーマット１ｂが利用される。別の構成では、ＰＵＣＣＨフォーマット３が設定された場合、ＤＬアソシエーションセット中のすべてのＤＬまたはスペシャルサブフレームのＡＣＫ／ＮＡＣＫは、ＰＵＣＣＨフォーマット３上でレポートされなければならない。割り当てられるＤＬサブフレームの最大数の導入によって、ＰＵＣＣＨフォーマット３上のＨＡＲＱ−ＡＣＫレポートにおけるＡＣＫ／ＮＡＣＫビットも減少させることができる。
【００４９】
本明細書に開示されるシステムおよび方法は、以下の利益を与える。ＦＤＤおよびＴＤＤセルを含むハイブリッド複信ネットワークにおけるＣＡがシームレスに動作する。ＤＬサブフレームの使用およびスケジューリングがよりフレキシブルである。ＵＥによってＦＤＤおよびＴＤＤの両方が用いられるときにリソースの使用がフレキシブルである。ＨＡＲＱ−ＡＣＫペイロードが減少する。たとえＵＬ／ＤＬ構成５が参照構成として用いられても、チャネルセレクションがサポートされる。加えて、たとえＵＬ／ＤＬ構成５が参照設定として用いられるときでも、５つまでのセルがサポートされる。
【００５０】
本明細書に開示されるシステムおよび方法の様々な例が図面を参照して次に記載される。図面中、同様の参照番号は、機能的に類似した要素を示す。本明細書において図面に一般的に記載され、示されるシステムおよび方法を多種多様に異なる実装に配置し、設計することができるであろう。従って、図面に表現されるようないくつかの実装の以下のさらに詳細な記載は、特許請求の範囲を限定するものではなく、システムおよび方法を単に代表するに過ぎない。
【００５１】
図１は、キャリアアグリゲーションのためのシステムおよび方法が実装された１つ以上の基地局装置（ｅＮＢ）１６０および１つ以上の端末装置（ＵＥ）１０２の一構成を示すブロック図である。１つ以上のＵＥ１０２は、１つ以上のアンテナ１２２ａ〜ｎを用いて１つ以上のｅＮＢ１６０と通信する。例えば、ＵＥ１０２は、１つ以上のアンテナ１２２ａ〜ｎを用いてｅＮＢ１６０へ電磁信号を送信し、ｅＮＢ１６０から電磁信号を受信する。ｅＮＢ１６０は、１つ以上のアンテナ１８０ａ〜ｎを用いてＵＥ１０２と通信する。
【００５２】
留意すべきは、いくつかの構成において、本明細書に記載されるＵＥ１０２の１つ以上が単一のデバイスに実装されてもよいことである。例えば、複数のＵＥ１０２がいくつかの実装では単一のデバイスに組み合わされてもよい。加えてまたは代わりに、いくつかの構成において、本明細書に記載されるｅＮＢ１６０の１つ以上が単一のデバイスに実装されてもよい。例えば、複数のｅＮＢ１６０がいくつかの実装では単一のデバイスに組み合わされてもよい。図１のコンテキストにおいて、例として、単一のデバイスは、本明細書に記載されるシステムおよび方法による１つ以上のＵＥ１０２を含んでもよい。加えてまたは代わりに、本明細書に記載されるシステムおよび方法による１つ以上のｅＮＢ１６０は、単一のデバイスまたは複数のデバイスとして実装されてもよい。
【００５３】
ＵＥ１０２およびｅＮＢ１６０は、相互に通信するために１つ以上のチャネル１１９、１２１を用いる。例えば、ＵＥ１０２は、１つ以上の上りリンク・チャネル１２１および信号を用いてｅＮＢ１６０へ情報またはデータを送信する。上りリンク・チャネル１２１の例は、ＰＵＣＣＨおよびＰＵＳＣＨなどを含む。上りリンク信号の例は、復調参照信号（ＤＭＲＳ：ｄｅｍｏｄｕｌａｔｉｏｎ  ｒｅｆｅｒｅｎｃｅ  ｓｉｇｎａｌ）およびサウンディング参照信号（ＳＲＳ：ｓｏｕｎｄｉｎｇ  ｒｅｆｅｒｅｎｃｅ  ｓｉｇｎａｌ）などを含む。１つ以上のｅＮＢ１６０も、例として、１つ以上の下りリンク・チャネル１１９および信号を用いて１つ以上のＵＥ１０２へ情報またはデータを送信する。下りリンク・チャネル１１９の例は、ＰＤＣＣＨ、ＰＤＳＣＨなどを含む。下りリンク信号の例は、プライマリ同期信号（ＰＳＳ：ｐｒｉｍａｒｙ  ｓｙｎｃｈｒｏｎｉｚａｔｉｏｎ  ｓｉｇｎａｌ）、セル固有参照信号（ＣＲＳ：ｃｅｌｌ−ｓｐｅｃｉｆｉｃ  ｒｅｆｅｒｅｎｃｅ  ｓｉｇｎａｌ）、およびチャネル状態情報（ＣＳＩ：ｃｈａｎｎｅｌ  ｓｔａｔｅ  ｉｎｆｏｒｍａｔｉｏｎ）参照信号（ＣＳＩ−ＲＳ：ＣＳＩ−ｒｅｆｅｒｅｎｃｅ  ｓｉｇｎａｌ）などを含む。他の種類のチャネルまたは信号が用いられてもよい。
【００５４】
１つ以上のＵＥ１０２のそれぞれは、１つ以上のトランシーバ１１８、１つ以上の復調器１１４、１つ以上のデコーダ１０８、１つ以上のエンコーダ１５０、１つ以上の変調器１５４、１つ以上のデータバッファ１０４および１つ以上のＵＥオペレーション・モジュール１２４を含む。例えば、ＵＥ１０２では１つ以上の受信および／または送信経路が実装される。便宜上、ＵＥ１０２では単一のトランシーバ１１８、デコーダ１０８、復調器１１４、エンコーダ１５０および変調器１５４のみが示されるが、複数の並列要素（例えば、トランシーバ１１８、デコーダ１０８、復調器１１４、エンコーダ１５０および変調器１５４）が実装されてもよい。
【００５５】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を作り出すために信号を受信してダウンコンバートする。１つ以上の受信信号１１６は、復調器１１４へ供給される。１つ以上の送信機１５８は、１つ以上のアンテナ１２２ａ〜ｎを用いてｅＮＢ１６０へ信号を送信する。例えば、１つ以上の送信機１５８は、１つ以上の変調信号１５６をアップコンバートして送信する。
【００５６】
復調器１１４は、１つ以上の復調信号１１２を作り出すために１つ以上の受信信号１１６を復調する。１つ以上の復調信号１１２は、デコーダ１０８へ供給される。ＵＥ１０２は、信号を復号するためにデコーダ１０８を用いる。デコーダ１０８は、１つ以上の復号信号１０６、１１０を作り出す。例えば、第１のＵＥ復号信号１０６は、データバッファ１０４に記憶された受信ペイロード・データを備える。第２のＵＥ復号信号１１０は、オーバーヘッド・データおよび／または制御データを備える。例えば、第２のＵＥ復号信号１１０は、１つ以上のオペレーションを行うためにＵＥオペレーション・モジュール１２４によって用いられるデータを供給する。
【００５７】
本明細書では、用語「モジュール」は、特定の要素またはコンポーネントがハードウェア、ソフトウェアまたはハードウェアおよびソフトウェアの組み合わせで実装されることを意味する。しかしながら、留意すべきは、本明細書に「モジュール」として示される任意の要素が代わりにハードウェアで実装されてもよいことである。例えば、ＵＥオペレーション・モジュール１２４は、ハードウェア、ソフトウェアまたは両方の組み合わせで実装されてもよい。
【００５８】
一般に、ＵＥオペレーション・モジュール１２４は、ＵＥ１０２が１つ以上のｅＮＢ１６０と通信することを可能にする。ＵＥオペレーション・モジュール１２４は、ＵＥ第１パラメータ・モジュール１２６、ＵＥ  ＰＵＣＣＨフォーマット１ｂレポーティング・モジュール１２８およびＵＥ  ＰＵＣＣＨフォーマット３レポーティング・モジュール１３０のうちの１つ以上を含む。
【００５９】
ＵＥ第１パラメータ・モジュール１２６は、在圏セルのための下りリンク（ＤＬ）アソシエーションセット中のサブフレームに対してＤＬアサインメントをもつ要素の最大数を定義する第１のパラメータを確定する。キャリアアグリゲーションのために複数の在圏セルが設定されてもよい。一構成において、ＰＣｅｌｌがＴＤＤセルであり、ＳＣｅｌｌがＦＤＤセル（例えば、ＴＤＤ−ＦＤＤ  ＣＡ）であってもよい。別の構成では、各セルがＴＤＤセル（例えば、ＴＤＤ  ＣＡ）であってもよい。第１のパラメータは、「Ｍｃｏｎｆｉｇ」と呼ばれる。
【００６０】
一構成において、第１のパラメータは、固定値であってもよい。例えば、第１のパラメータは、４として予め定義される。別の構成では、第１のパラメータは、ｅＮＢ１６０からの上位レイヤ・シグナリング（例えば、ＲＲＣシグナリング）によって設定されてもよい。言い換えれば、ＵＥ１０２は、上位レイヤ・シグナリングによってＤＬアソシエーションセット「Ｋ」中のサブフレーム「ｎ」に対してＤＬアサインメントをもつ要素の最大数を限定するように構成されてもよい。さらに別の構成では、第１のパラメータは、ＤＬ参照ＵＬ／ＤＬ構成またはＰＣｅｌｌ  ＵＬ／ＤＬ構成に基づいてもよい。
【００６１】
一構成において、第１のパラメータは、セル固有であってもよい。別の構成では、第１のパラメータは、ＵＥ固有であってもよい。
【００６２】
ＵＥ１０２がチャネルセレクションを伴うＰＵＣＣＨフォーマット１ｂを用いて構成される場合、ＵＥ  ＰＵＣＣＨフォーマット１ｂレポーティング・モジュール１２８は、第１のパラメータに基づいてＰＤＳＣＨ  ＨＡＲＱ−ＡＣＫ情報をチャネルセレクションを伴うＰＵＣＣＨフォーマット１ｂを用いて送信する。チャネルセレクションを伴うＰＵＣＣＨフォーマット１ｂが設定された場合、ＵＥ  ＰＵＣＣＨフォーマット１ｂレポーティング・モジュール１２８は、第１のパラメータが設定されていると想定する。ＵＥ  ＰＵＣＣＨフォーマット１ｂレポーティング・モジュール１２８は、第１のパラメータに従って在圏セルに関するＨＡＲＱ−ＡＣＫビットの数を確定する。これは、図７に関連して記載されるように達成される。
【００６３】
ＤＬアソシエーションセットが４つより多いサブフレームを有し、かつＵＥ１０２に４つ以下のＤＬまたはスペシャルサブフレームが割り当てられる場合、チャネルセレクションを伴うＰＵＣＣＨフォーマット１ｂをサポートできる。そのうえ、リリース１０、１１、または１２におけるＴＤＤ  ＣＡのためのチャネルセレクション表を再使用できる。一構成において、ＵＥ１０２は、チャネルセレクションを伴うＰＵＣＣＨフォーマット１ｂをサポートするためにＦＤＤ  ＳＣｅｌｌに対する第１のパラメータを用いて構成されてもよい。
【００６４】
ＵＥ  ＰＵＣＣＨフォーマット１ｂレポーティング・モジュール１２８は、ＨＡＲＱ−ＡＣＫビットの順序付けおよび多重を確定するために下りリンク制御情報（ＤＣＩ：ｄｏｗｎｌｉｎｋ  ｃｏｎｔｒｏｌ  ｉｎｆｏｒｍａｔｉｏｎ）中にファイルされたＤＬ下りリンク・アサインメント・インデックス（ＤＡＩ：ｄｏｗｎｌｉｎｋ  ａｓｓｉｇｎｍｅｎｔ  ｉｎｄｅｘ）をモニタする。受信した最大ＤＬ  ＤＡＩが第１のパラメータより小さい場合、残りのＨＡＲＱ−ＡＣＫビットは、非連続送信（ＤＴＸ：ｄｉｓｃｏｎｔｉｎｕｏｕｓ  ｔｒａｎｓｍｉｓｓｉｏｎ）にセットされる。
【００６５】
ＵＥ１０２がＰＵＣＣＨフォーマット３を用いて構成される場合、ＵＥ  ＰＵＣＣＨフォーマット３レポーティング・モジュール１３０は、第１のパラメータに基づいてＰＤＳＣＨ  ＨＡＲＱ−ＡＣＫ情報をＰＵＣＣＨフォーマット３を用いて送信する。ＤＬアソシエーションセット中のＤＬアサインメントの最大数を用いて構成された在圏セルでは、所定の在圏セルに関してレポートされるＨＡＲＱ−ＡＣＫビットの数が第１のパラメータによって限定される。これは、図８に関連して記載されるように達成される。それゆえに、ＤＬアソシエーションセット中のすべてのサブフレームをレポートする代わりに、第１のパラメータは、在圏セルに関するＨＡＲＱ−ＡＣＫビットの数を限定する。
【００６６】
ＵＥ  ＰＵＣＣＨフォーマット３レポーティング・モジュール１３０は、ＨＡＲＱ−ＡＣＫビットの順序付けおよび多重を確定するためにＰＤＣＣＨまたは拡張物理下りリンク制御チャネル（ＥＰＤＣＣＨ：ｅｎｈａｎｃｅｄ  ｐｈｙｓｉｃａｌ  ｄｏｗｎｌｉｎｋ  ｃｏｎｔｒｏｌ  ｃｈａｎｎｅｌ）におけるＤＣＩ中にファイルされたＤＬ  ＤＡＩをモニタする。受信した最大ＤＬ  ＤＡＩが第１のパラメータより小さい場合、残りのビットはＤＴＸにセットされる。これは、各セルのＡＣＫ／ＮＡＣＫビットがＤＬアソシエーションセット中のサブフレーム・インデックスに基づいて順序付けられる、従来のＰＵＣＣＨフォーマット３手順とは異なり、ＤＬアソシエーションセット中のすべてのサブフレームのＡＣＫ／ＮＡＣＫは、たとえそれらが用いられなくてもレポートされる。
【００６７】
ＵＥオペレーション・モジュール１２４は、情報１４８を１つ以上の受信機１２０に提供する。例えば、ＵＥオペレーション・モジュール１２４は、下りリンクサブフレーム・アソシエーションのセットに基づいて、ＰＤＳＣＨ  ＨＡＲＱ−ＡＣＫ情報をいつ送信すべきか、または送信すべきでないかを受信機（単数または複数）１２０に通知する。
【００６８】
ＵＥオペレーション・モジュール１２４は、情報１３８を復調器１１４に提供する。例えば、ＵＥオペレーション・モジュール１２４は、ｅＮＢ１６０からの送信に予想される変調パターンを復調器１１４に通知する。
【００６９】
ＵＥオペレーション・モジュール１２４は、情報１３６をデコーダ１０８に提供する。例えば、ＵＥオペレーション・モジュール１２４は、ｅＮＢ１６０からの送信に予想される符号化法をデコーダ１０８に通知する。
【００７０】
ＵＥオペレーション・モジュール１２４は、情報１４２をエンコーダ１５０に提供する。情報１４２は、符号化すべきデータおよび／または符号化に関する命令を含む。例えば、ＵＥオペレーション・モジュール１２４は、送信データ１４６および／または他の情報１４２を符号化するようにエンコーダ１５０に命令する。他の情報１４２は、ＰＤＳＣＨ  ＨＡＲＱ−ＡＣＫ情報を含む。
【００７１】
エンコーダ１５０は、送信データ１４６および／またはＵＥオペレーション・モジュール１２４によって提供された他の情報１４２を符号化する。例えば、送信データ１４６および／または他の情報１４２の符号化は、誤り検出および／または訂正符号化、送信のためのデータの空間、時間および／または周波数リソースへのマッピング、多重などを伴う。エンコーダ１５０は、符号化データ１５２を変調器１５４へ供給する。
【００７２】
ＵＥオペレーション・モジュール１２４は、情報１４４を変調器１５４に提供する。例えば、ＵＥオペレーション・モジュール１２４は、ｅＮＢ１６０への送信に用いるための変調型（例えば、コンステレーション・マッピング）を変調器１５４に通知する。変調器１５４は、１つ以上の変調信号１５６を１つ以上の送信機１５８へ供給するために符号化データ１５２を変調する。
【００７３】
ＵＥオペレーション・モジュール１２４は、情報１４０を１つ以上の送信機１５８に提供する。この情報１４０は、１つ以上の送信機１５８に対する命令を含む。例えば、ＵＥオペレーション・モジュール１２４は、信号をｅＮＢ１６０へいつ送信すべきかを１つ以上の送信機１５８に命令する。１つ以上の送信機１５８は、変調信号（単数または複数）１５６を１つ以上のｅＮＢ１６０へアップコンバートして送信する。
【００７４】
ｅＮＢ１６０は、１つ以上のトランシーバ１７６、１つ以上の復調器１７２、１つ以上のデコーダ１６６、１つ以上のエンコーダ１０９、１つ以上の変調器１１３、データバッファ１６２およびｅＮＢオペレーション・モジュール１８２を含む。例えば、ｅＮＢ１６０では１つ以上の受信および／または送信経路が実装される。便宜上、ｅＮＢ１６０では単一のトランシーバ１７６、デコーダ１６６、復調器１７２、エンコーダ１０９および変調器１１３のみが示されるが、複数の並列要素（例えば、トランシーバ１７６、デコーダ１６６、復調器１７２、エンコーダ１０９および変調器１１３）が実装されてもよい。
【００７５】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２から信号を受信する。例えば、受信機１７８は、１つ以上の受信信号１７４を作り出すために信号を受信してダウンコンバートする。１つ以上の受信信号１７４は、復調器１７２へ供給される。１つ以上の送信機１１７は、１つ以上のアンテナ１８０ａ〜ｎを用いて信号をＵＥ１０２へ送信する。例えば、１つ以上の送信機１１７は、１つ以上の変調信号１１５をアップコンバートして送信する。
【００７６】
復調器１７２は、１つ以上の復調信号１７０を作り出すために１つ以上の受信信号１７４を復調する。１つ以上の復調信号１７０は、デコーダ１６６へ供給される。ｅＮＢ１６０は、信号を復号するためにデコーダ１６６を用いる。デコーダ１６６は、１つ以上の復号信号１６４、１６８を作り出す。例えば、第１のｅＮＢ復号信号１６４は、データバッファ１６２に記憶される受信ペイロード・データを備える。第２のｅＮＢ復号信号１６８は、オーバーヘッド・データおよび／または制御データを備える。例えば、第２のｅＮＢ復号信号１６８は、１つ以上のオペレーションを行うためにｅＮＢオペレーション・モジュール１８２によって用いられるデータ（例えば、ＰＤＳＣＨ  ＨＡＲＱ−ＡＣＫ情報）を供給する。
【００７７】
一般に、ｅＮＢオペレーション・モジュール１８２は、ｅＮＢ１６０が１つ以上のＵＥ１０２と通信することを可能にする。ｅＮＢオペレーション・モジュール１８２は、ｅＮＢ第１パラメータ・モジュール１９４、ｅＮＢ  ＰＵＣＣＨフォーマット１ｂレポーティング・モジュール１９６およびｅＮＢ  ＰＵＣＣＨフォーマット３レポーティング・モジュール１９８のうちの１つ以上を含む。
【００７８】
ｅＮＢ第１パラメータ・モジュール１９４は、在圏セルのための下りリンク（ＤＬ）アソシエーションセット中のサブフレームに対してＤＬアサインメントをもつ要素の最大数を定義する第１のパラメータ（例えば、「Ｍｃｏｎｆｉｇ」）を確定する。キャリアアグリゲーションのために複数の在圏セルが設定されてもよい。
【００７９】
一構成において、第１のパラメータは、固定値であってもよい。例えば、第１のパラメータは、４として予め定義される。別の構成では、第１のパラメータは、ｅＮＢ１６０からの上位レイヤ・シグナリング（例えば、ＲＲＣシグナリング）によって設定されてもよい。言い換えれば、ｅＮＢ１６０は、上位レイヤ・シグナリングによってＤＬアソシエーションセット「Ｋ」中のサブフレーム「ｎ」に対してＤＬアサインメントをもつ要素の最大数を限定するようにＵＥ１０２を構成してもよい。さらに別の構成では、第１のパラメータは、ＤＬ参照ＵＬ／ＤＬ構成またはＰＣｅｌｌ  ＵＬ／ＤＬ構成に基づいてもよい。
【００８０】
一構成において、第１のパラメータは、セル固有であってもよい。別の構成では、第１のパラメータは、ＵＥ固有であってもよい。
【００８１】
ｅＮＢ  ＰＵＣＣＨフォーマット１ｂレポーティング・モジュール１９６は、チャネルセレクションを伴うＰＵＣＣＨフォーマット１ｂを用いてＵＥ１０２を構成する。このケースでは、ｅＮＢ  ＰＵＣＣＨフォーマット１ｂレポーティング・モジュール１９６は、第１のパラメータに基づいてＰＤＳＣＨ  ＨＡＲＱ−ＡＣＫ情報をチャネルセレクションを伴うＰＵＣＣＨフォーマット１ｂを用いて受信する。チャネルセレクションを伴うＰＵＣＣＨフォーマット１ｂが設定された場合、ｅＮＢ  ＰＵＣＣＨフォーマット１ｂレポーティング・モジュール１９６は、第１のパラメータが設定されていると想定する。ｅＮＢ  ＰＵＣＣＨフォーマット１ｂレポーティング・モジュール１９６は、第１のパラメータに従って在圏セルに関するＨＡＲＱ−ＡＣＫビットを受信する。これは、図７に関連して記載されるように達成される。
【００８２】
ＤＬアソシエーションセットが４つより多いサブフレームを有し、かつＵＥ１０２に４つ以下のＤＬまたはスペシャルサブフレームが割り当てられる場合、チャネルセレクションを伴うＰＵＣＣＨフォーマット１ｂをサポートできる。そのうえ、リリース１０、１１、または１２におけるＴＤＤ  ＣＡのためのチャネルセレクション表を再使用できる。一構成において、ｅＮＢ１６０は、チャネルセレクションを伴うＰＵＣＣＨフォーマット１ｂをサポートするためにＦＤＤ  ＳＣｅｌｌに対する第１のパラメータを用いてＵＥ１０２を構成してもよい。
【００８３】
ｅＮＢ  ＰＵＣＣＨフォーマット１ｂレポーティング・モジュール１９６は、下りリンク制御情報中にファイルされたＤＬ  ＤＡＩに基づいてＨＡＲＱ−ＡＣＫビットを受信する。ＨＡＲＱ−ＡＣＫビットの順序付けおよび多重は、ｅＮＢ１６０によって送信された下りリンク制御情報中にファイルされたＤＬ  ＤＡＩに基づく。最大ＤＬ  ＤＡＩが第１のパラメータより小さい場合、残りのＨＡＲＱ−ＡＣＫビットは、非連続送信（ＤＴＸ）にセットされる。
【００８４】
ｅＮＢ  ＰＵＣＣＨフォーマット３レポーティング・モジュール１９８は、ＰＵＣＣＨフォーマット３を用いてＵＥ１０２を構成する。このケースでは、ｅＮＢ  ＰＵＣＣＨフォーマット３レポーティング・モジュール１９８は、第１のパラメータに基づいてＰＤＳＣＨ  ＨＡＲＱ−ＡＣＫ情報をＰＵＣＣＨフォーマット３を用いて受信する。ＤＬアソシエーションセット中のＤＬアサインメントの最大数を用いて構成された在圏セルでは、所定の在圏セルに関してレポートされるＨＡＲＱ−ＡＣＫビットの数が第１のパラメータによって限定される。これは、図８に関連して記載されるように達成される。それゆえに、ＤＬアソシエーションセット中のすべてのサブフレームをレポートする代わりに、第１のパラメータは、在圏セルに関するＨＡＲＱ−ＡＣＫビットの数を限定する。
【００８５】
ｅＮＢ  ＰＵＣＣＨフォーマット３レポーティング・モジュール１９８は、下りリンク制御情報中にファイルされたＤＬ  ＤＡＩに基づいてＨＡＲＱ−ＡＣＫビットを受信する。ＨＡＲＱ−ＡＣＫビットの順序付けおよび多重は、ｅＮＢ１６０によって送信された下りリンク制御情報中にファイルされたＤＬ  ＤＡＩに基づく。最大ＤＬ  ＤＡＩが第１のパラメータより小さい場合、残りのＨＡＲＱ−ＡＣＫビットは、非連続送信（ＤＴＸ）にセットされる。
【００８６】
ｅＮＢオペレーション・モジュール１８２は、情報１９０を１つ以上の受信機１７８に提供する。例えば、ｅＮＢオペレーション・モジュール１８２は、下りリンクサブフレーム・アソシエーションのセットに基づいてＰＤＳＣＨ  ＨＡＲＱ−ＡＣＫ情報をいつ受信すべきか、または受信すべきでないかを受信機（単数または複数）１７８に通知する。
【００８７】
ｅＮＢオペレーション・モジュール１８２は、情報１８８を復調器１７２に提供する。例えば、ｅＮＢオペレーション・モジュール１８２は、ＵＥ（単数または複数）１０２からの送信に予想される変調パターンを復調器１７２に通知する。
【００８８】
ｅＮＢオペレーション・モジュール１８２は、情報１８６をデコーダ１６６に提供する。例えば、ｅＮＢオペレーション・モジュール１８２は、ＵＥ（単数または複数）１０２からの送信に予想される符号化法をデコーダ１６６に通知する。
【００８９】
ｅＮＢオペレーション・モジュール１８２は、情報１０１をエンコーダ１０９に提供する。情報１０１は、符号化すべきデータおよび／または符号化に関する命令を含む。例えば、ｅＮＢオペレーション・モジュール１８２は、送信データ１０５および／または他の情報１０１を符号化するようにエンコーダ１０９に命令する。
【００９０】
エンコーダ１０９は、送信データ１０５および／またはｅＮＢオペレーション・モジュール１８２によって提供された他の情報１０１を符号化する。例えば、送信データ１０５および／または他の情報１０１の符号化は、誤り検出および／または訂正符号化、送信のためのデータの空間、時間および／または周波数リソースへのマッピング、多重などを伴う。エンコーダ１０９は、符号化データ１１１を変調器１１３へ供給する。送信データ１０５は、ＵＥ１０２へ伝えられることになるネットワークデータを含む。
【００９１】
ｅＮＢオペレーション・モジュール１８２は、情報１０３を変調器１１３に提供する。この情報１０３は、変調器１１３に対する命令を含む。例えば、ｅＮＢオペレーション・モジュール１８２は、ＵＥ（単数または複数）１０２への送信に用いるための変調型（例えば、コンステレーション・マッピング）を変調器１１３に通知する。変調器１１３は、１つ以上の変調信号１１５を１つ以上の送信機１１７へ供給するために符号化データ１１１を変調する。
【００９２】
ｅＮＢオペレーション・モジュール１８２は、情報１９２を１つ以上の送信機１１７に提供する。この情報１９２は、１つ以上の送信機１１７に対する命令を含む。例えば、ｅＮＢオペレーション・モジュール１８２は、信号をＵＥ（単数または複数）１０２へいつ送信すべきか（またはいつすべきでないか）を１つ以上の送信機１１７に命令する。１つ以上の送信機１１７は、変調信号（単数または複数）１１５を１つ以上のＵＥ１０２へアップコンバートして送信する。
【００９３】
留意すべきは、ｅＮＢ（単数または複数）１６０およびＵＥ（単数または複数）１０２に含まれる要素またはその部分の１つ以上がハードウェアで実装されてもよいことである。例えば、これらの要素またはその部分の１つ以上は、チップ、回路素子またはハードウェア・コンポーネントなどとして実装されてもよい。同様に留意すべきは、本明細書に記載される機能または方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ−ｓｃａｌｅ  ｉｎｔｅｇｒａｔｅｄ  ｃｉｒｃｕｉｔ）または集積回路などで実装されてもよく、および／またはそれらを用いて実現されてもよい。
【００９４】
図２は、ＵＥ１０２によってキャリアアグリゲーションを行うための方法２００の一実装を示すフロー図である。ＵＥ１０２は、１つ以上のＦＤＤセルおよび１つ以上のＴＤＤセルを用いてキャリアアグリゲーションが行われるワイヤレス通信ネットワーク中に位置する。一実装において、ワイヤレス通信ネットワークは、ＬＴＥネットワークであってもよい。
【００９５】
ＵＥ１０２は、ＦＤＤまたはＴＤＤ複信のいずれかを用いて在圏セルを通じてｅＮＢ１６０と通信する。在圏セルは、通信チャネル（例えば、下りリンク・チャネル１１９および上りリンク・チャネル１２１）のセットである。複数の在圏セルが設定されてもよい。キャリアアグリゲーション（ＣＡ）の間に、ＵＥ１０２に対して１つより多い在圏セルがアグリゲートされる。
【００９６】
ＵＥ１０２は、在圏セルのためのＤＬアソシエーションセット中のサブフレームに対してＤＬアサインメントをもつ要素の最大数を定義する第１のパラメータを確定する（ステップ２０２）。キャリアアグリゲーションにおいて、ＵＥ１０２は、１つより多い在圏セルを用いて構成される。いくつかの構成において、在圏セルは、フレーム構造タイプ２をもつＴＤＤセルまたはフレーム構造タイプ１をもつＦＤＤセルであってもよい。ＵＥ１０２は、フレーム構造タイプ１およびフレーム構造タイプ２の両方をもつ在圏セルを用いて構成されてもよい。これは、ＴＤＤ−ＦＤＤ  ＣＡと呼ばれる。
【００９７】
１つのケースでは、ＰＣｅｌｌがＴＤＤセルであり、ＳＣｅｌｌがＤＬのみをもつＦＤＤセルである。このケースでは、ＳＣｅｌｌは、ＤＬサブフレームのみを含む新しいＴＤＤ  ＵＬ／ＤＬ構成７をもつ、フレーム構造タイプ２を有すると見做される。それゆえに、このケースでは、ＴＤＤ−ＦＤＤ  ＣＡもＴＤＤ  ＣＡの１つのタイプであると見做される。
【００９８】
ＣＡは、より多くの潜在的なＤＬおよびＵＬサブフレームをデータ送信のために提供して、ＵＥ１０２のピーク・スループットを向上させる。ＤＬおよびＵＬリソースが同じ在圏セル中で他のＵＥ１０２と共有される。すべてのＤＬリソースが単一のＵＥ１０２に割り当てられることは非常に稀であり、可能性が低い。それゆえに、ｅＮＢ１６０は、チャネルリソースを複数の異なるＵＥ１０２間でスケジュールしてもよい。
【００９９】
ＴＤＤ在圏セルに関して、ＵＥ１０２は、ＵＥ１０２に割り当てられたＰＤＳＣＨがあるかどうかを検出するために、ＤＬアソシエーションセット中のすべてのＤＬサブフレームをモニタする。ＰＤＳＣＨ送信に対応するＨＡＲＱ−ＡＣＫビットは、（３ＧＰＰ  ＴＳ３６．２１３，表１０．１．３．１−１からの）表（１）によるＤＬアソシエーションセットに基づいて生成される。表（１）は、ＵＬ／ＤＬ構成におけるサブフレーム「ｎ」に対してＴＤＤのための下りリンクアソシエーションセット・インデックス「Ｋ」：「｛ｋ０，ｋ１，．．．ｋＭ−１｝」を示す。
【表１】
2017511016.tif 000003
【０１００】
ＴＤＤ−ＦＤＤ  ＣＡにおけるＦＤＤ在圏セルでは、プライマリ在圏セルがＴＤＤ在圏セルであるとき、ＵＥ１０２は、ＵＥ１０２に割り当てられたＰＤＳＣＨがあるかどうかを検出するために、対応するＤＬアソシエーションセット中のすべてのＤＬサブフレームにおけるＰＤＣＣＨまたは拡張ＰＤＣＣＨ（ＥＰＤＣＣＨ）をモニタする。留意すべきは、ＰＤＣＣＨ／ＥＰＤＣＣＨサブフレームのモニタリングを無効にするために、間欠受信（ＤＲＸ：ｄｉｓｃｏｎｔｉｎｕｏｕｓ  ｒｅｃｅｐｔｉｏｎ）または測定ギャップを上位レイヤによって制御できることである。
【０１０１】
先に考察した第２のＴＤＤ−ＦＤＤ  ＣＡの選択肢においては、上位レイヤ無線リソース制御（ＲＲＣ）シグナリングによってＤＬ参照ＵＬ／ＤＬ構成がＦＤＤ在圏セル上に設定される。この第２の選択肢では、ＴＤＤ  ＣＡ方法を再使用でき、ＦＤＤセルのためのＤＬアソシエーションセットは、上の表（１）に基づく。
【０１０２】
先に考察したＴＤＤ−ＦＤＤ  ＣＡに対する第１の選択肢では、ＦＤＤセルに対してＤＬアソシエーションセットがＴＤＤ参照ＵＬ／ＤＬ構成に基づいて定義される。この第１の選択肢では、ＦＤＤセルのためのＤＬアソシエーションセットがＴＤＤ  ＰＣｅｌｌ  ＵＬ／ＤＬ構成またはＴＤＤ  ＰＣｅｌｌのＤＬ参照ＵＬ／ＤＬ構成に基づいて確定される。下の表（２）は、ＴＤＤ−ＦＤＤ  ＣＡにおけるＦＤＤセルのＤＬアソシエーションセットの例を示す。表（２）は、ＴＤＤ参照ＵＬ／ＤＬ構成に基づくＦＤＤセルのＤＬアソシエーションセット・インデックス「Ｋ」：「｛ｋ０，ｋ１，．．．ｋＭ−１｝」を示す。
【表２】
2017511016.tif 000004
【０１０３】
ＵＥ１０２を対象としたＤＣＩフォーマット０／４をもつ検出されたＰＤＣＣＨ／ＥＰＤＣＣＨに基づいて調整されたＰＵＳＣＨ上のＨＡＲＱ−ＡＣＫに関して、ＤＣＩフォーマット０／４におけるＵＬ下りリンク・アサインメント・インデックス（ＤＡＩ）
【数１】
2017511016.tif 000005
は、在圏セルのＨＡＲＱ−ＡＣＫペイロードを調整するために用いられる。
【数２】
2017511016.tif 000006
は、単一のＴＤＤ在圏セルを用いて構成されたＵＥ１０２に用いられ、
【数３】
2017511016.tif 000007
は、１つより多い在圏セルを用いて構成されたＵＥ１０２に用いられる。
【０１０４】
ＵＬ  ＤＡＩ値は、すべてのサブフレーム（単数または複数）「ｎ−ｋ」内に対応するＵＥ１０２へのＰＤＳＣＨ送信と下りリンクＳＰＳ解除を示すＰＤＣＣＨ／ＥＰＤＣＣＨとをもつサブフレームの総数を確定するために用いられ、ここでｋは、所定の上りリンクサブフレームのＤＬアソシエーションセットの
ｋ∈Ｋ
である。
そのうえ、在圏セル「ｃ」でのＵＥ１０２への各ＰＤＳＣＨ送信は、ＤＬ  ＤＡＩ
【数４】
2017511016.tif 000008
を用いて順序付けられる。ＤＬ  ＤＡＩは、所定のＰＤＳＣＨ送信までのＰＤＳＣＨの数をカウントする。例えば、ＤＬ  ＤＡＩは、セット「Ｋ」中のサブフレーム「ｘ」、「ｙ」、「ｚ」において１、２、３である。このケースでは、ＵＬ  ＤＡＩは、（通常は、セット「Ｋ」中の最後のＤＬサブフレームからの）ＵＬグラントで示される３である。
【０１０５】
一構成において、
【数５】
2017511016.tif 000009
は、以下の表（５）に従ってＵＥ１０２により在圏セル「ｃ」においてサブフレーム「ｎ−ｋｍ」で検出されたＤＣＩフォーマット１、１Ａ、１Ｂ、１Ｄ、２、２Ａ、２Ｂ、２Ｃまたは２Ｄ（例えば、１／１Ａ／１Ｂ／１Ｄ／２／２Ａ／２Ｂ／２Ｃ／２Ｄ）のうちの１つをもつＰＤＣＣＨ／ＥＰＤＣＣＨにおけるＤＡＩの値である。
この構成において、「ｋｍ」は、ＤＬアソシエーションセット「Ｋ」における最小値であり、ここで「Ｋ」は、ＵＥ１０２がＤＣＩフォーマット１／１Ａ／１Ｂ／１Ｄ／２／２Ａ／２Ｂ／２Ｃ／２Ｄを検出するような、ＦＤＤセルのためのＤＬアソシエーションセットである。しかしながら、ＰＵＣＣＨ上のＨＡＲＱ−ＡＣＫレポーティングに関して、たとえＤＬアソシエーションセット中の大部分のＤＬサブフレームにはＵＥ１０２に割り当てられたＰＤＳＣＨが何もなくても、ＳＣｅｌｌ上のＰＤＳＣＨ送信がある場合には、ＤＬアソシエーション中のすべてのサブフレームに関するＨＡＲＱ−ＡＣＫビットがレポートされる。
【０１０６】
ＴＤＤ  ＣＡにおいて、在圏セル「ｃ」の「Ｍｃ」は、在圏セルのためのＤＬアソシエーションセット「Ｋｃ」中のサブフレーム「ｎ」に対する要素の数を示す。セット「Ｋｃ」は、サブフレーム「ｎ−ｋ」が在圏セル「ｃ」のためのＤＬサブフレームまたはスペシャルサブフレームに対応するような
ｋ∈Ｋ
の値を含む。「Ｋ」は、上の表（１）において定義され（ここで、表（１）における「ＵＬ／ＤＬ構成」は「ＤＬ参照ＵＬ／ＤＬ構成」を指す）、サブフレーム「ｎ」と関連付けられる。
【０１０７】
ＵＥ１０２にすべてのＤＬサブフレームが割り当てられる可能性は低い。それゆえに、ＵＥ１０２は、ＵＥ１０２に対する在圏セルのＤＬアソシエーションセット「Ｋ」中のサブフレーム「ｎ」に対してＤＬアサインメントをもつ要素の最大数を用いて構成されてもよい。第１のパラメータは、在圏セルのための下りリンク・アソシエーションセット中のサブフレームに対してＤＬアサインメントをもつ要素の最大数を定義する。第１のパラメータは、「Ｍｃｏｎｆｉｇ」と呼ばれる。在圏セルの第１のパラメータ（例えば、「Ｍｃｏｎｆｉｇ」）は、所定の在圏セルのすべてのサブフレームの最大「Ｍｃ」より小さくなければならない。ＵＥ１０２は、所定のＵＥ１０２に対するＰＤＳＣＨのアロケーションには「Ｍｃｏｎｆｉｇ」を超えないサブフレームが用いられるであろうと予想すべきである。従って、「Ｍｃｏｎｆｉｇ」が４以下である場合、ＴＤＤ  ＣＡのためのチャネルセレクション表を用いた既存のフォーマット１ｂを再使用できる。
【０１０８】
ＵＥ１０２は、第１のパラメータを用いて構成できる。言い換えれば、ＵＥ１０２は、在圏セルごとのＤＬアソシエーションセット「Ｋ」中のサブフレーム「ｎ」に対してＤＬアサインメントをもつ要素の最大数を定義する「Ｍｃｏｎｆｉｇ」を用いて構成されてもよい。第１の構成では、「Ｍｃｏｎｆｉｇ」は、固定数であってもよい。例えば、「Ｍｃｏｎｆｉｇ」は、４として予め定義される。ＵＥ１０２は、上位レイヤ（例えば、ＲＲＣ）シグナリングによってＤＬアソシエーションセット「Ｋ」中のサブフレーム「ｎ」に対してＤＬアサインメントをもつ要素の最大数を限定するように構成されてもよい。
【０１０９】
第２の構成では、「Ｍｃｏｎｆｉｇ」は、上位レイヤ（例えば、ＲＲＣ）シグナリングによって設定されてもよい。例えば、ＵＥ１０２は、ｅＮＢ１６０からの上位レイヤ・シグナリングによって「Ｍｃｏｎｆｉｇ」を受信する。上位レイヤ・シグナリングは、専用シグナリングまたはブロードキャスト・シグナリングであってもよい。
【０１１０】
第３の構成では、「Ｍｃｏｎｆｉｇ」は、予め定義されてもよい。この構成では、「Ｍｃｏｎｆｉｇ」は、ＤＬ参照ＵＬ／ＤＬ構成またはＰＣｅｌｌ  ＵＬ／ＤＬ構成に基づいてもよい。
【０１１１】
「Ｍｃｏｎｆｉｇ」は、ＵＥ固有であり、ＵＥ１０２のすべての設定された在圏セル上で適用されてもよい。この構成では、「Ｍｃｏｎｆｉｇ」は、すべての在圏セルに適用されてもよい。別の実装では、「Ｍｃｏｎｆｉｇ」は、すべてのＳＣｅｌｌに適用されてもよい。
【０１１２】
「Ｍｃｏｎｆｉｇ」は、在圏セルに対してセル固有であってもよい。この構成では、特定のセル「ｃ」に対応する「Ｍｃｏｎｆｉｇ」は、「Ｍｃｏｎｆｉｇ＿ｃ」と呼ばれる。異なる在圏セルのために同じかまたは異なる「Ｍｃｏｎｆｉｇ＿ｃ」が設定されてもよい。
【０１１３】
ＵＥ１０２は、第１のパラメータに従って在圏セルに関するＰＤＳＣＨ  ＨＡＲＱ−ＡＣＫ情報を確定する（ステップ２０４）。ＵＥ１０２は、第１のパラメータに従って在圏セルに関するＨＡＲＱ−ＡＣＫビットの数を確定する。サブフレーム「ｎ」でのＰＵＣＣＨレポートに関して、セルの「Ｍｃ」が「Ｍｃｏｎｆｉｇ」より小さいとき、ＵＥ１０２は、ＤＬアソシエーションセット中のサブフレーム順序付けに基づいて「Ｍｃ」ＨＡＲＱ−ＡＣＫビットを生成する。しかしながら、セルの「Ｍｃ」が「Ｍｃｏｎｆｉｇ」より大きいときには、ＵＥ１０２は、ＤＬアソシエーションセット中のサブフレームに対するＤＬ  ＤＡＩ順序付けに基づいて「Ｍｃｏｎｆｉｇ」ビットのＨＡＲＱ−ＡＣＫビットを生成する。
【０１１４】
在圏セルがセカンダリセルである場合、
０≦ｊ≦Ｍｃｏｎｆｉｇ−１
に対して、ＰＤＳＣＨ送信が、対応するＰＤＣＣＨ／ＥＰＤＣＣＨおよび「ｊ＋１」に等しいＰＤＣＣＨ／ＥＰＤＣＣＨ中のＤＡＩ値とともに受信されたならば、ＨＡＲＱ−ＡＣＫ（「ｊ」）が、対応するＡＣＫ／ＮＡＣＫ／ＤＴＸ応答であり、そうでない場合には、ＨＡＲＱ−ＡＣＫ（「ｊ」）が、ＤＴＸにセットされる。在圏セルがプライマリセルであり、サブフレーム（単数または複数）「ｎ−ｋ」内にプライマリセル上のＰＤＳＣＨ送信があり、対応するＰＤＣＣＨ／ＥＰＤＣＣＨが検出されず、ここでｋがプライマリセルの
ｋ∈Ｋ
である場合、ＨＡＲＱ−ＡＣＫ（０）が対応するＰＤＣＣＨ／ＥＰＤＣＣＨのないＰＤＳＣＨ送信に対するＡＣＫ／ＮＡＣＫ／ＤＴＸ応答である。
【０１１５】
１≦ｊ≦Ｍｃｏｎｆｉｇ−１
に対して、ＰＤＳＣＨ送信が、対応するＰＤＣＣＨ／ＥＰＤＣＣＨおよび「ｊ」に等しいＰＤＣＣＨ／ＥＰＤＣＣＨ中のＤＡＩ値とともに、または下りリンクＳＰＳ解除を示すＰＤＣＣＨ／ＥＰＤＣＣＨおよび「ｊ」に等しいＰＤＣＣＨ／ＥＰＤＣＣＨ中のＤＡＩ値とともに受信された場合、ＨＡＲＱ−ＡＣＫ（「ｊ」）が対応するＡＣＫ／ＮＡＣＫ／ＤＴＸ応答であり、そうでない場合には、ＨＡＲＱ−ＡＣＫ（「ｊ」）がＤＴＸにセットされる。
【０１１６】
在圏セルがプライマリセルであり、サブフレーム（単数または複数）「ｎ−ｋ」内にプライマリセル上のＰＤＳＣＨ送信が何もなく、対応するＰＤＣＣＨ／ＥＰＤＣＣＨが検出されず、ここでｋがプライマリセルの
ｋ∈Ｋ
である場合、
０≦ｊ≦Ｍｃｏｎｆｉｇ−１
および｛１，２，３，４，６｝に属するプライマリセルのＴＤＤ  ＵＬ／ＤＬ構成に対して、ＰＤＳＣＨ送信が、対応するＰＤＣＣＨ／ＥＰＤＣＣＨおよび「ｊ＋１」に等しいＰＤＣＣＨ／ＥＰＤＣＣＨ中のＤＡＩ値とともに、または下りリンクＳＰＳ解除を示すＰＤＣＣＨ／ＥＰＤＣＣＨおよび「ｊ＋１」に等しいＰＤＣＣＨ／ＥＰＤＣＣＨ中のＤＡＩ値とともに受信されたならば、ＨＡＲＱ−ＡＣＫ（「ｊ」）が対応するＡＣＫ／ＮＡＣＫ／ＤＴＸ応答であり；そうでない場合には、ＨＡＲＱ−ＡＣＫ（「ｊ」）がＤＴＸにセットされる。
【０１１７】
０≦ｊ≦Ｍｃｏｎｆｉｇ−１
およびＴＤＤ  ＵＬ／ＤＬ構成０をもつプライマリセルに対して、ＰＤＳＣＨ送信が対応するＰＤＣＣＨ／ＥＰＤＣＣＨまたは下りリンクＳＰＳ解除を示すＰＤＣＣＨ／ＥＰＤＣＣＨとともに受信されたならば、ＨＡＲＱ−ＡＣＫ（０）は、対応するＡＣＫ／ＮＡＣＫ／ＤＴＸ応答であり、そうでない場合には、ＨＡＲＱ−ＡＣＫ（ｊ）は、ＤＴＸにセットされる。
【０１１８】
ＵＥは、ＰＤＳＣＨ  ＨＡＲＱ−ＡＣＫ情報を送信する（ステップ２０６）。ＵＥ１０２は、ＰＤＳＣＨ  ＨＡＲＱ−ＡＣＫ情報をｅＮＢ１６０へ送信する（ステップ２０６）。ＰＤＳＣＨ  ＨＡＲＱ−ＡＣＫ情報は、サブフレーム「ｎ」においてＰＵＣＣＨレポートで送信される。一構成において、ＵＥ１０２は、図７に関連して以下に記載されるように、チャネルセレクションを伴うＰＵＣＣＨフォーマット１ｂを用いてＰＤＳＣＨ  ＨＡＲＱ−ＡＣＫ情報を送信する（ステップ２０６）。別の構成では、ＵＥ１０２は、図８に関連して以下に記載されるように、ＰＵＣＣＨフォーマット３を用いてＰＤＳＣＨ  ＨＡＲＱ−ＡＣＫ情報を送信する（ステップ２０６）。
【０１１９】
図３は、ｅＮＢ１６０によってキャリアアグリゲーションを行うための方法３００の一実装を示すフロー図である。ｅＮＢ１６０は、１つ以上のＦＤＤセルおよび１つ以上のＴＤＤセルを用いてキャリアアグリゲーションが行われるワイヤレス通信ネットワーク中に位置する。一実装において、ワイヤレス通信ネットワークは、ＬＴＥネットワークであってもよい。
【０１２０】
ｅＮＢ１６０は、ＦＤＤまたはＴＤＤ複信のいずれかを用いて在圏セルを通じてＵＥ１０２と通信する。在圏セルは、通信チャネル１１９、１２１のセットである。複数の在圏セルが設定されてもよい。キャリアアグリゲーション（ＣＡ）の間に、ＵＥ１０２に対して１つより多い在圏セルがアグリゲートされる。
【０１２１】
ｅＮＢ１６０は、在圏セルのためのＤＬアソシエーションセット中のサブフレームに対するＤＬアサインメントをもつ要素の最大数を定義する第１のパラメータを確定する（ステップ３０２）。第１のパラメータは、「Ｍｃｏｎｆｉｇ」と呼ばれる。所定の在圏セルのすべてのサブフレームの第１のパラメータ（例えば、「Ｍｃｏｎｆｉｇｃ」。ＵＥ１０２は、所定のＵＥ１０２に対するＰＤＳＣＨのアロケーションには「Ｍｃｏｎｆｉｇ」を超えないサブフレームが用いられるであろうと予想すべきである。
【０１２２】
一構成において、ｅＮＢ１６０は、第１のパラメータを上位レイヤ・シグナリングによってＵＥ１０２へ送信してもよい。別の構成では、第１のパラメータは、固定値（例えば、４）であってもよい。上位レイヤ・シグナリングは、専用シグナリングまたはブロードキャスト・シグナリングであってもよい。さらに別の構成では、第１のパラメータは、予め定義されてもよい。この構成では、第１のパラメータは、ＤＬ参照ＵＬ／ＤＬ構成またはＰＣｅｌｌ  ＵＬ／ＤＬ構成に基づいてもよい。
【０１２３】
第１のパラメータは、ＵＥ固有であり、ＵＥ１０２のすべての設定された在圏セル上で適用されてもよい。この構成では、第１のパラメータは、すべての在圏セルに適用される。別の実装では、第１のパラメータは、すべてのＳＣｅｌｌに適用される。
【０１２４】
別の構成では、第１のパラメータは、在圏セルに対してセル固有であってもよい。この構成では、特定のセル「ｃ」に対応する第１のパラメータは、「Ｍｃｏｎｆｉｇ，ｃ」と呼ばれる。異なる在圏セルのために同じかまたは異なる「Ｍｃｏｎｆｉｇ，ｃ」が設定されてもよい。
【０１２５】
ｅＮＢ１６０は、第１のパラメータに基づいて在圏セルに関するＰＤＳＣＨ  ＨＡＲＱ−ＡＣＫ情報を受信する（ステップ３０４）。ｅＮＢ１６０は、ＰＤＳＣＨ  ＨＡＲＱ−ＡＣＫ情報をＵＥ１０２から受信する（ステップ３０４）。ＵＥ１０２は、第１のパラメータに従って在圏セルに関するＨＡＲＱ−ＡＣＫビットの数を確定する。ＰＤＳＣＨ  ＨＡＲＱ−ＡＣＫ情報は、サブフレーム「ｎ」においてＰＵＣＣＨレポートで受信される（ステップ３０４）。
【０１２６】
１つのケースでは、ｅＮＢ１６０は、チャネルセレクションを伴うＰＵＣＣＨフォーマット１ｂを用いてＵＥ１０２を構成してもよい。このケースでは、ｅＮＢ１６０は、図７に関連して以下に記載されるように、チャネルセレクションを伴うＰＵＣＣＨフォーマット１ｂを用いてＵＥ１０２からのＰＤＳＣＨ  ＨＡＲＱ−ＡＣＫ情報を受信する（ステップ３０４）。ＵＥ１０２がチャネルセレクションを伴うＰＵＣＣＨフォーマット１ｂを用いて構成される場合、第１のパラメータがセットされていると想定される。
【０１２７】
このケースでは、在圏セルにおけるＤＬアソシエーションセットのサブフレームに対する要素の数は、ｍａｘ（Ｍｐｒｉｍａｒｙ，ｍｉｎ（Ｍｓｅｃｏｎｄａｒｙ，Ｍｃｏｎｆｉｇ））に従って確定される。「Ｍｐｒｉｍａｒｙ」は、プライマリセルにおけるＤＬアソシエーションセットのサブフレームに対する要素の数である。「Ｍｓｅｃｏｎｄａｒｙ」は、セカンダリセルにおけるＤＬアソシエーションセットのサブフレームに対する要素の数である。「Ｍｃｏｎｆｉｇ」は、第１のパラメータである。
【０１２８】
一構成において、ＰＣｅｌｌは、ＤＬ参照ＵＬ／ＤＬ構成０，１，２，３，４または６をもつＴＤＤセルであってもよい。言い換えれば、ＰＣｅｌｌのＤＬ参照ＵＬ／ＤＬ構成が｛０，１，２，３，４，６｝のセットにおけるＴＤＤ  ＵＬ／ＤＬ構成に属してもよい。この構成では、ＳＣｅｌｌがＦＤＤセルであってもよい。
【０１２９】
別の構成では、すべての在圏セルがＴＤＤセルであってもよい。ＰＣｅｌｌのＤＬ参照ＵＬ／ＤＬ構成が｛０，１，２，３，４，６｝のセットにおけるＴＤＤ  ＵＬ／ＤＬ構成に属してもよい。ＳＣｅｌｌのＤＬ参照ＵＬ／ＤＬ構成がＴＤＤ  ＵＬ／ＤＬ構成５に属してもよい。
【０１３０】
別のケースでは、ｅＮＢ１６０は、ＰＵＣＣＨフォーマット３を用いてＵＥ１０２を構成してもよい。ｅＮＢ１６０は、図８に関連して以下に記載されるように、ＰＵＣＣＨフォーマット３を用いてＵＥ１０２からのＰＤＳＣＨ  ＨＡＲＱ−ＡＣＫ情報を受信する（ステップ３０４）。このケースでは、ＰＤＳＣＨ  ＨＡＲＱ−ＡＣＫ情報は、在圏セルのためのＤＬアソシエーションセット中のサブフレームに対してＤＬアサインメントをもつ要素の数と、第１のパラメータとの間の最小数に基づいて生成される。言い換えれば、ＰＤＳＣＨ  ＨＡＲＱ−ＡＣＫ情報は、所定の在圏セル「ｃ」に関する「Ｍ＝ｍｉｎ（Ｍｃ，Ｍｃｏｎｆｉｇ，ｃ）」のＨＡＲＱ−ＡＣＫビットを含み、ここで「Ｍｃ」は、ＤＬアソシエーションセット「Ｋｃ」中の要素の数である。一構成において、ＰＣｅｌｌがＴＤＤセルであり、ＳＣｅｌｌがＦＤＤセルである。別の構成では、すべての在圏セルがＴＤＤセルであり、ＰＣｅｌｌのＤＬ参照ＵＬ／ＤＬ構成は、｛０，１，２，３，４，６｝のセットにおけるＴＤＤ  ＵＬ／ＤＬ構成に属してもよい。
【０１３１】
図４は、本明細書に開示されるシステムおよび方法に従って用いられる無線フレーム４３５の一例を示す図である。この無線フレーム４３５の構造は、ＴＤＤ構造を示す。各無線フレーム４３５は、
Ｔｆ＝３０７２００・Ｔｓ＝１０
ｍｓの長さを有し、ここで「Ｔｆ」は、無線フレーム４３５の持続期間であり、「Ｔｓ」は、
１／（１５０００×２０４８）
秒に等しい時間単位である。無線フレーム４３５は、
１５３６００・Ｔｓ＝５
ｍｓの長さをそれぞれが有する、２つのハーフフレーム４３３を含む。各ハーフフレーム４３３は、
３０７２０・Ｔｓ＝１
ｍｓの長さをそれぞれが有する５つのサブフレーム４２３ａ〜ｅ、４２３ｆ〜ｊを含む。
【０１３２】
ＴＤＤ  ＵＬ／ＤＬ構成０〜６は、（３ＧＰＰ  ＴＳ３６．２１１における表４．２−２からの）下の表（３）に示される。下りリンクから上りリンクへのスイッチポイント周期が５ミリ秒（ｍｓ）および１０ｍｓの両方のＵＬ／ＤＬ構成がサポートされる。特に、下の表（３）に示されるように、３ＧＰＰ仕様では７つのＵＬ／ＤＬ構成が指定される。表（３）において、「Ｄ」は下りリンクサブフレームを示し、「Ｓ」はスペシャルサブフレームを示し、「Ｕ」はＵＬサブフレームを示す。
【表３】
2017511016.tif 000010
【０１３３】
上の表（３）では、無線フレームにおけるサブフレームごとに、「Ｄ」は、サブフレームが下りリンク送信のために予約されていることを示し、「Ｕ」は、サブフレームが上りリンク送信のために予約されていることを示し、「Ｓ」は、３つのフィールド、すなわち、下りリンク・パイロット時間スロット（ＤｗＰＴＳ：ｄｏｗｎｌｉｎｋ  ｐｉｌｏｔ  ｔｉｍｅ  ｓｌｏｔ）、ガード期間（ＧＰ：ｇｕａｒｄ  ｐｅｒｉｏｄ）および上りリンク・パイロット時間スロット（ＵｐＰＴＳ：ｕｐｌｉｎｋ  ｐｉｌｏｔ  ｔｉｍｅ  ｓｌｏｔ）をもつスペシャルサブフレームを示す。ＤｗＰＴＳおよびＵｐＰＴＳの長さは、ＤｗＰＴＳ、ＧＰおよびＵｐＰＴＳの全長が
３０７２０・Ｔｓ＝１
ｍｓに等しいことを前提として、（３ＧＰＰ  ＴＳ３６．２１１の表４．２−１からの）表（４）に示される。表（４）では、便宜上、「サイクリックプレフィックス（ｃｙｃｌｉｃ  ｐｒｅｆｉｘ）」は「ＣＰ」と略記され、「構成（ｃｏｎｆｉｇｕｒａｔｉｏｎ）」は「Ｃｏｎｆｉｇ」と略記される。
【表４】
2017511016.tif 000011
【０１３４】
下りリンクから上りリンクへのスイッチポイント周期が５ｍｓおよび１０ｍｓの両方のＵＬ／ＤＬ構成がサポートされる。下りリンクから上りリンクへのスイッチポイント周期が５ｍｓのケースでは、スペシャルサブフレームが両方のハーフフレームに存在する。下りリンクから上りリンクへのスイッチポイント周期が１０ｍｓのケースでは、スペシャルサブフレームが第１のハーフフレームのみに存在する。サブフレーム０および５ならびにＤｗＰＴＳは、下りリンク送信のために予約される。ＵｐＰＴＳおよびスペシャルサブフレームのすぐ後に続くサブフレームは、上りリンク送信のために予約される。
【０１３５】
本明細書に開示されるシステムおよび方法に従って、用いられるサブフレーム４２３のいくつかのタイプは、下りリンクサブフレーム、上りリンクサブフレームおよびスペシャルサブフレーム４３１を含む。図４に示される５ｍｓ周期を有する例では、無線フレーム４３５に２つの標準スペシャルサブフレーム４３１ａ〜ｂが含まれる。
【０１３６】
第１のスペシャルサブフレーム４３１ａは、下りリンク・パイロット時間スロット（ＤｗＰＴＳ）４２５ａ、ガード期間（ＧＰ）４２７ａおよび上りリンク・パイロット時間スロット（ＵｐＰＴＳ）４２９ａを含む。この例では、第１の標準スペシャルサブフレーム４３１ａがサブフレームｏｎｅ４２３ｂに含まれる。第２の標準スペシャルサブフレーム４３１ｂは、下りリンク・パイロット時間スロット（ＤｗＰＴＳ）４２５ｂ、ガード期間（ＧＰ）４２７ｂおよび上りリンク・パイロット時間スロット（ＵｐＰＴＳ）４２９ｂを含む。この例では、第２の標準スペシャルサブフレーム４３１ｂがサブフレームｓｉｘ４２３ｇに含まれる。ＤｗＰＴＳ４２５ａ〜ｂおよびＵｐＰＴＳ４２９ａ〜ｂの長さは、ＤｗＰＴＳ４２５、ＧＰ４２７およびＵｐＰＴＳ４２９の各セットの全長が
３０７２０・Ｔｓ＝１
ｍｓに等しいことを前提として、（上の表（４）に示される）３ＧＰＰ  ＴＳ３６．２１１の表４．２−１によって示される。
【０１３７】
各サブフレーム「ｉ」４２３ａ〜ｊ（この例では、「ｉ」は、サブフレームｚｅｒｏ４２３ａ（例えば０）からサブフレームｎｉｎｅ４２３ｊ（例えば９）に及ぶサブフレームを示す）は、各サブフレーム４２３における長さが
Ｔｓｌｏｔ＝１５３６０・Ｔｓ＝０．５
ｍｓの２つのスロット、「２ｉ」および「２ｉ＋１」として定義される。例えば、サブフレームｚｅｒｏ（例えば０）４２３ａは、第１のスロットを含めて、２つのスロットを含む。
【０１３８】
本明細書に開示されるシステムおよび方法に従って、下りリンクから上りリンクへのスイッチポイント周期が５ｍｓおよび１０ｍｓの両方のＵＬ／ＤＬ構成が用いられる。図４は、スイッチポイント周期が５ｍｓの無線フレーム４３５の一例を示す。下りリンクから上りリンクへのスイッチポイント周期が５ｍｓのケースでは、各ハーフフレーム４３３は、標準スペシャルサブフレーム４３１ａ〜ｂを含む。下りリンクから上りリンクへのスイッチポイント周期が１０ｍｓのケースでは、スペシャルサブフレーム４３１は、第１のハーフフレーム４３３のみに存在する。
【０１３９】
サブフレームｚｅｒｏ（例えば０）４２３ａおよびサブフレームｆｉｖｅ（例えば５）４２３ｆならびにＤｗＰＴＳ４２５ａ〜ｂは、下りリンク送信のために予約される。ＵｐＰＴＳ４２９ａ〜ｂおよびスペシャルサブフレーム（単数または複数）４３１ａ〜ｂのすぐ後に続くサブフレーム（単数または複数）（例えば、サブフレームｔｗｏ４２３ｃおよびサブフレームｓｅｖｅｎ４２３ｈ）は、上りリンク送信のために予約される。留意すべきは、いくつかの実装では、ＵＣＩ送信セルのＵＣＩ送信上りリンクサブフレームを示すＤＬサブフレーム・アソシエーションのセットを確定するために、スペシャルサブフレーム４３１がＤＬサブフレームと見做されることである。
【０１４０】
図５は、本明細書に記載されるシステムおよび方法によるいくつかのＴＤＤ  ＵＬ／ＤＬ構成５３７ａ〜ｇを示す図である。７つの異なるＴＤＤ  ＵＬ／ＤＬ構成があり、すべてが異なるアソシエーション・タイミングをもつ。特に、図５は、サブフレーム５２３ａおよびサブフレーム番号５３９ａをもつＵＬ／ＤＬ構成ｚｅｒｏ５３７ａ（例えば、「ＵＬ／ＤＬ構成０」）、サブフレーム５２３ｂおよびサブフレーム番号５３９ｂをもつＵＬ／ＤＬ構成ｏｎｅ５３７ｂ（例えば、「ＵＬ／ＤＬ構成１」）、サブフレーム５２３ｃおよびサブフレーム番号５３９ｃをもつＵＬ／ＤＬ構成ｔｗｏ５３７ｃ（例えば、「ＵＬ／ＤＬ構成２」）、ならびにサブフレーム５２３ｄおよびサブフレーム番号５３９ｄをもつＵＬ／ＤＬ構成ｔｈｒｅｅ５３７ｄ（例えば、「ＵＬ／ＤＬ構成３」）を示す。
図５は、サブフレーム５２３ｅおよびサブフレーム番号５３９ｅをもつＵＬ／ＤＬ構成ｆｏｕｒ５３７ｅ（例えば、「ＵＬ／ＤＬ構成４」）、サブフレーム５２３ｆおよびサブフレーム番号５３９ｆをもつＵＬ／ＤＬ構成ｆｉｖｅ５３７ｆ（例えば、「ＵＬ／ＤＬ構成５」）、ならびにサブフレーム５２３ｇおよびサブフレーム番号５３９ｇをもつＵＬ／ＤＬ構成ｓｉｘ５３７ｇ（例えば、「ＵＬ／ＤＬ構成６」）も示す。
【０１４１】
図５は、ＰＤＳＣＨ  ＨＡＲＱ−ＡＣＫアソシエーション５４１（例えば、ＰＵＣＣＨまたはＰＵＳＣＨ上のＰＤＳＣＨ  ＨＡＲＱ−ＡＣＫフィードバック・アソシエーション）をさらに示す。ＰＤＳＣＨ  ＨＡＲＱ−ＡＣＫアソシエーション５４１は、ＰＤＳＣＨ送信のためのサブフレーム（例えば、ＰＤＳＣＨ送信が送られるか、および／または受信されるサブフレーム）に対応するＨＡＲＱ−ＡＣＫレポーティング・サブフレームを示す。留意すべきは、図５に示される無線フレーム４３５のいくつかが便宜上切り詰められていることである。
【０１４２】
図６は、ＦＤＤセルのアソシエーション・タイミングを示す。ＦＤＤセルは、対をなす下りリンクサブフレーム６４９および上りリンクサブフレーム６５１を含む。ＦＤＤセルのためのＰＤＳＣＨ  ＨＡＲＱ−ＡＣＫアソシエーション６４１が示される。ＰＤＳＣＨ  ＨＡＲＱ−ＡＣＫアソシエーション６４１は、ＰＤＳＣＨ送信のためのサブフレーム（例えば、ＰＤＳＣＨ送信が送られるか、および／または受信されるサブフレーム）に対応するＨＡＲＱ−ＡＣＫレポーティング・サブフレームを示す。いくつかの実装において、ＰＤＳＣＨ  ＨＡＲＱ−ＡＣＫレポーティングは、ＰＵＣＣＨまたはＰＵＳＣＨ上で発生してもよい。
【０１４３】
固定された４ｍｓの間隔がＰＤＳＣＨ  ＨＡＲＱ−ＡＣＫアソシエーション６４１に適用されてもよい。一実装において、下りリンクサブフレーム６４９および上りリンクサブフレーム６５１は、それぞれが１ｍｓである。それゆえに、サブフレーム「ｍ」＋４でのＰＤＳＣＨ  ＨＡＲＱ−ＡＣＫ送信は、サブフレーム「ｍ」でのＰＤＳＣＨ送信と関連付けられる。同様に、サブフレーム「ｎ」−４でのＰＤＳＣＨ送信は、サブフレーム「ｎ」でのＰＤＳＣＨ  ＨＡＲＱ−ＡＣＫ送信と関連付けられる。
【０１４４】
図７は、ＵＥ１０２によってキャリアアグリゲーションを行うための方法７００の詳細な構成を示すフロー図である。ＵＥ１０２は、１つ以上のＦＤＤセルおよび１つ以上のＴＤＤセルを用いてキャリアアグリゲーションが行われるワイヤレス通信ネットワーク中に位置する。一実装において、ワイヤレス通信ネットワークは、ＬＴＥネットワークであってもよい。
【０１４５】
ＵＥ１０２は、ＦＤＤまたはＴＤＤ複信のいずれかを用いて在圏セルを通じてｅＮＢ１６０と通信する。在圏セルは、通信チャネル１１９、１２１のセットである。複数の在圏セルが設定されてもよい。キャリアアグリゲーション（ＣＡ）の間に、ＵＥ１０２に対して１つより多い在圏セルがアグリゲートされる。
【０１４６】
ＵＥ１０２は、チャネルセレクションを伴うＰＵＣＣＨフォーマット１ｂを用いて構成される（ステップ７０２）。ＵＥ１０２は、チャネルセレクションを伴うＰＵＣＣＨフォーマット１ｂを用いてＰＤＳＣＨ  ＨＡＲＱ−ＡＣＫ情報をレポートするようにＵＥ１０２に命令するｅＮＢ１６０からのシグナリングを受信する。ＨＡＲＱ−ＡＣＫ多重のために、ＵＥ１０２は、上位レイヤＲＲＣシグナリングによってＰＵＣＣＨフォーマット１ｂまたはＰＵＣＣＨフォーマット３を用いて構成されてもよい。チャネルセレクションを伴うＰＵＣＣＨフォーマット１ｂは、２つの在圏セルに対してのみサポートされる。
【０１４７】
ＵＥ１０２は、在圏セルのためのＤＬアソシエーションセット中のサブフレームに対してＤＬアサインメントをもつ要素の最大数を定義する第１のパラメータを確定する（ステップ７０４）。一構成において、第１のパラメータは、「Ｍｃｏｎｆｉｇ」である。ＵＥ１０２は、図２に関連して先に記載されたように第１のパラメータを確定する（ステップ７０４）。チャネルセレクションを伴うＰＵＣＣＨフォーマット１ｂが設定された場合、ＵＥ１０２は、第１のパラメータがセットされていると想定する。
【０１４８】
ＵＥ１０２は、在圏セルに関するＰＤＳＣＨ  ＨＡＲＱ−ＡＣＫ情報を確定する（ステップ７０６）。ＦＤＤ  ＤＬアソシエーションセットにおける４つより多いサブフレームの１つの潜在的な問題は、チャネルセレクションを伴うＰＵＣＣＨフォーマット１ｂのサポートである。リリース１０および１１では、チャネルセレクションを伴うフォーマット１ｂが２つのセルに対してサポートされる。ＴＤＤ  ＣＡでは、チャネルセレクションを伴うフォーマット１ｂがＤＬアソシエーションセット中の最多で４つのサブフレームに対してサポートされる。従って、本明細書に記載されるシステムおよび方法は、ＤＬアソシエーションセット中の４つより多いサブフレームに対してサポートを提供する。
【０１４９】
第１のアプローチでは、５つの可能なサブフレームを考慮した新しいチャネルセレクション表が定義される。これは、いくつかのサブフレームのバンドリングを導入することになろう。ＳＣｅｌｌの５つのサブフレームには合計３２の可能なＡＣＫ／ＮＡＣＫ状態があるが、チャネルセレクション表は、ＰＣｅｌｌおよびＳＣｅｌｌの両方のＨＡＲＱ−ＡＣＫフィードバックをレポートするには限られたエントリを有するに過ぎない。
【０１５０】
第２のアプローチでは、ＵＥ１０２に対して在圏セルの第１のパラメータが設定される。例えば、「Ｍｃｏｎｆｉｇ」は、４以下であってもよい。ＵＥ１０２は、所定のＵＥ１０２に対するＰＤＳＣＨのアロケーションには「Ｍｃｏｎｆｉｇ」を超えない数のサブフレームが用いられると予想すべきである。従って、ＴＤＤ  ＣＡのためのチャネルセレクション表を用いた既存のフォーマット１ｂを再使用できる。
【０１５１】
ある１つのセルにおいてＤＬアソシエーションセット中のＤＬサブフレームの数が４より大きい場合、ＵＥ１０２は、セカンダリセルのためのＤＬアソシエーションセット「Ｋ」中のサブフレーム「ｎ」に対するＤＬアサインメントをもつ要素の最大数を定義する「Ｍｃｏｎｆｉｇ」を用いて構成できる。１つのケースでは、「Ｍｃｏｎｆｉｇ」は、固定数（例えば、４）であってもよい。ＵＥ１０２は、上位レイヤ（例えば、ＲＲＣ）シグナリングによってＤＬアソシエーションセット「Ｋ」中のサブフレーム「ｎ」に対してＤＬアサインメントをもつ要素の最大数を限定するように構成されてもよい。別のケースでは、「Ｍｃｏｎｆｉｇ」は、上位レイヤ（例えば、ＲＲＣ）シグナリングによって設定されてもよく、「Ｍｃｏｎｆｉｇ」は、４以下である。留意すべきは、チャネルセレクションを伴うＰＵＣＣＨフォーマット１ｂに関して、「Ｍｃｏｎｆｉｇ」がセカンダリセルのみに対応することである。
【０１５２】
単一のＴＤＤ在圏セルに関する既存のＰＵＣＣＨ  ＨＡＲＱ−ＡＣＫレポートでは、ＤＬアソシエーションセット中のすべてのサブフレームのＡＣＫ／ＮＡＣＫビットは、上の表（１）のＤＬアソシエーションセット中のインデックスの順序付けに基づいてレポートされ、多重される。ＴＤＤ  ＨＡＲＱ−ＡＣＫ多重、および
Ｍ＞１
をもつサブフレーム「ｎ」、ここで「Ｍ」は上の表（１）で定義されたＤＬアソシエーションセット「Ｋ」中の要素の数である、ならびに１つの設定された在圏セルに関して、
【数６】
2017511016.tif 000012
がサブフレーム「ｎ−ｋｉ」から導出されたＰＵＣＣＨリソースとして、およびＨＡＲＱ−ＡＣＫ（「ｉ」）がサブフレーム「ｎ−ｋｉ」からのＡＣＫ／ＮＡＣＫ／ＤＴＸ応答として示され、ここで
ｋｉ∈Ｋ
である。
【０１５３】
チャネルセレクションを伴うＰＵＣＣＨフォーマット１ｂを用いたＴＤＤ  ＨＡＲＱ−ＡＣＫ多重および
Ｍ＞２
をもつサブフレーム「ｎ」ならびに２つの設定された在圏セルに関して、ＨＡＲＱ−ＡＣＫビットは、各ＰＤＳＣＨ送信のＤＬ  ＤＡＩ
【数７】
2017511016.tif 000013
値に基づいて生成される。プライマリセルに関して、サブフレーム（単数または複数）「ｎ−ｋ」内にプライマリセル上のＰＤＳＣＨ送信があり、対応するＰＤＣＣＨ／ＥＰＤＣＣＨが検出されず、ここでｋが
ｋ∈Ｋ
である場合、ＨＡＲＱ−ＡＣＫ（０）が対応するＰＤＣＣＨ／ＥＰＤＣＣＨのないＰＤＳＣＨ送信に対するＡＣＫ／ＮＡＣＫ／ＤＴＸ応答である。
【０１５４】
１≦ｊ≦Ｍ−１
に対して、ＰＤＳＣＨ送信が、対応するＰＤＣＣＨ／ＥＰＤＣＣＨおよび「ｊ」に等しいＰＤＣＣＨ／ＥＰＤＣＣＨ中のＤＡＩ値とともに、または下りリンクＳＰＳ解除を示すＰＤＣＣＨ／ＥＰＤＣＣＨおよび「ｊ」に等しいＰＤＣＣＨ／ＥＰＤＣＣＨ中のＤＡＩ値とともに受信された場合、ＨＡＲＱ−ＡＣＫ（「ｊ」）が対応するＡＣＫ／ＮＡＣＫ／ＤＴＸ応答であり、そうでない場合には、ＨＡＲＱ−ＡＣＫ（「ｊ」）がＤＴＸにセットされる。
【０１５５】
プライマリセルに関して、サブフレーム（単数または複数）「ｎ−ｋ」内にプライマリセル上のＰＤＳＣＨ送信が何もなく、対応するＰＤＣＣＨ／ＥＰＤＣＣＨが検出されず、ここで
ｋ∈Ｋ
である場合、
０≦ｊ≦Ｍ−１
および｛１，２，３，４，６｝に属するプライマリセルのＴＤＤ  ＵＬ／ＤＬ構成に対して、ＰＤＳＣＨ送信が、対応するＰＤＣＣＨ／ＥＰＤＣＣＨおよび「ｊ＋１」に等しいＰＤＣＣＨ／ＥＰＤＣＣＨ中のＤＡＩ値とともに、または下りリンクＳＰＳ解除を示すＰＤＣＣＨ／ＥＰＤＣＣＨおよび「ｊ＋１」に等しいＰＤＣＣＨ／ＥＰＤＣＣＨ中のＤＡＩ値とともに受信されたならば、ＨＡＲＱ−ＡＣＫ（「ｊ」）が対応するＡＣＫ／ＮＡＣＫ／ＤＴＸ応答であり、そうでない場合には、ＨＡＲＱ−ＡＣＫ（「ｊ」）がＤＴＸにセットされる。
【０１５６】
０≦ｊ≦Ｍ−１
およびＴＤＤ  ＵＬ／ＤＬ構成０をもつプライマリセルに対して、ＰＤＳＣＨ送信が対応するＰＤＣＣＨ／ＥＰＤＣＣＨまたは下りリンクＳＰＳ解除を示すＰＤＣＣＨ／ＥＰＤＣＣＨとともに受信されたならば、ＨＡＲＱ−ＡＣＫ（０）は、対応するＡＣＫ／ＮＡＣＫ／ＤＴＸ応答であり、そうでない場合には、ＨＡＲＱ−ＡＣＫ（ｊ）は、ＤＴＸにセットされる。
【０１５７】
セカンダリセルに関しては、
０≦ｊ≦Ｍ−１
に対して、ＰＤＳＣＨ送信が、対応するＰＤＣＣＨ／ＥＰＤＣＣＨおよび「ｊ＋１」に等しいＰＤＣＣＨ／ＥＰＤＣＣＨ中のＤＡＩ値とともに受信された場合、ＨＡＲＱ−ＡＣＫ（「ｊ」）が対応するＡＣＫ／ＮＡＣＫ／ＤＴＸ応答であり、そうでない場合には、ＨＡＲＱ−ＡＣＫ（「ｊ」）がＤＴＸにセットされる。
【０１５８】
「Ｍｃｏｎｆｉｇ」の使用によって、ＵＥ１０２は、ＨＡＲＱ−ＡＣＫビットの順序付けおよび多重を確定するためにＤＣＩフォーマット１／１Ａ／１Ｂ／１Ｄ／２／２Ａ／２Ｂ／２Ｃ／２ＤにおけるＤＬ  ＤＡＩフィールド
【数８】
2017511016.tif 000014
をモニタすべきである。受信した最大ＤＬ  ＤＡＩがＤＬアソシエーションセット中のＤＬアサインメントの最大数（例えば、「Ｍｃｏｎｆｉｇ」）より小さい場合、残りのビットは、非連続送信（ＤＴＸ）ビットによってパディングされる。ＡＣＫ／ＮＡＣＫ生成および多重は、リリース１０または１１におけるＰＵＳＣＨ上のＨＡＲＱ−ＡＣＫレポーティングと同様である。ＤＬアソシエーションセット中の４つより多いサブフレームおよび「Ｍｃｏｎｆｉｇ」をもつセカンダリセルでは、
０≦ｊ≦Ｍｃｏｎｆｉｇ−１
に対して、ＰＤＳＣＨ送信が、対応するＰＤＣＣＨ／ＥＰＤＣＣＨおよび「ｊ＋１」に等しいＰＤＣＣＨ／ＥＰＤＣＣＨ中のＤＡＩ値とともに受信された場合、ＨＡＲＱ−ＡＣＫ（「ｊ」）が対応するＡＣＫ／ＮＡＣＫ／ＤＴＸ応答であり、そうでない場合には、ＨＡＲＱ−ＡＣＫ（「ｊ」）がＤＴＸにセットされる。
【０１５９】
ＴＤＤ−ＦＤＤ  ＣＡでは、ＤＬアソシエーションセット中のサブフレームの数が４より大きいＦＤＤセルに関して、ＤＣＩフォーマット１／１Ａ／１Ｂ／１Ｄ／２／２Ａ／２Ｂ／２Ｃ／２ＤにおけるＤＡＩの値は、各設定された在圏セルのサブフレーム（単数または複数）「ｎ−ｋ」内に割り当てられたＰＤＳＣＨ送信（単数または複数）をもつＰＤＣＣＨ／ＥＰＤＣＣＨ（単数または複数）の現在のサブフレームまでの累積数を示す。この構成では、
ｋ∈Ｋ
であり、「Ｋ」は、ＦＤＤセルのためのＤＬアソシエーションセットである。そのうえ、「Ｋ」は、サブフレームごとにアップデートされてもよい。
【０１６０】
一構成において、
【数９】
2017511016.tif 000015
は、（３ＧＰＰ  ＴＳ３６．２１３ｖ１１．４．０，表７．３−Ｘからの）表（５）に従ってＵＥ１０２により在圏セル「ｃ」においてサブフレーム「ｎ−ｋｍ」で検出されたＤＣＩフォーマット１／１Ａ／１Ｂ／１Ｄ／２／２Ａ／２Ｂ／２Ｃ／２ＤをもつＰＤＣＣＨ／ＥＰＤＣＣＨにおけるＤＡＩの値を示す。「ｋｍ」は、ＤＬアソシエーションセット「Ｋ」における最小値であり、「Ｋ」は、ＵＥ１０２がＤＣＩフォーマット１／１Ａ／１Ｂ／１Ｄ／２／２Ａ／２Ｂ／２Ｃ／２Ｄを検出するような、ＦＤＤセルのためのＤＬアソシエーションセットである。ＵＥ１０２は、「Ｍｃｏｎｆｉｇ」より大きいＤＬ  ＤＡＩ値を受信することを予想すべきではない。
【表５】
2017511016.tif 000016
【０１６１】
上記のように、ＵＥ１０２は、ＰＣｅｌｌがＴＤＤセルであり、ＳＣｅｌｌがＦＤＤセルであるＴＤＤ−ＦＤＤ  ＣＡにおける２つの在圏セルを用いて構成されてもよい。ＰＣｅｌｌに関して、ＵＥ１０２は、在圏セル「ｃ」のためのサブフレーム（単数または複数）「ｎ−ｋ」内でのＰＤＳＣＨ送信の検出の際に、ＨＡＲＱ−ＡＣＫ応答をＵＬサブフレーム「ｎ」で送信し、ここで
ｋ∈Ｋｃ
は、ＵＥ１０２を対象とし、ＨＡＲＱ−ＡＣＫ応答がそれに対して供給される。セット「Ｋｃ」は、サブフレーム「ｎ−ｋ」が在圏セル「ｃ」のためのＤＬサブフレームまたはスペシャルサブフレームに対応するような、
ｋ∈Ｋ
の値を含む。セット「Ｋ」は、上の表（１）で定義されて（ここで表（１）における「ＵＬ／ＤＬ構成」は、「ＤＬ参照ＵＬ／ＤＬ構成」を指す）、サブフレーム「ｎ」と関連付けられる。ＰＣｅｌｌに関しては、ＤＬ参照ＵＬ／ＤＬ構成がＰＣｅｌｌ  ＵＬ／ＤＬ構成と同じであり、「Ｍｐｒｉｍａｒｙ」は、ＤＬアソシエーションセット「Ｋｃ」中のサブフレーム「ｎ」に対する要素の数である。
【０１６２】
ＳＣｅｌｌに関しては、ＵＥ１０２は、在圏セル「ｃ」のためのサブフレーム（単数または複数）「ｎ−ｋ」内でのＰＤＳＣＨ送信の検出の際に、ＵＬサブフレーム「ｎ」でＨＡＲＱ−ＡＣＫ応答を送信し、ここで
ｋ∈Ｋｃ
は、ＵＥ１０２を対象とし、ＨＡＲＱ−ＡＣＫ応答がそれに対して供給されるべきである。ＤＬアソシエーションセット「Ｋｃ」は、サブフレーム「ｎ−ｋ」が在圏セル「ｃ」のためのＤＬサブフレームまたはスペシャルサブフレームに対応するような
ｋ∈Ｋ
の値を含む。ＤＬアソシエーションセット「Ｋ」は、サブフレーム「ｎ」と関連付けられる。先に考察したＴＤＤ−ＦＤＤ  ＣＡに対する第１の選択肢では、ＤＬアソシエーションセット「Ｋ」は、ＦＤＤセルのためのＤＬサブフレームセットにおいて定義される。先に考察したＴＤＤ−ＦＤＤ  ＣＡに対する第２の選択肢では、ＤＬアソシエーションセット「Ｋ」は、ＤＬ参照ＵＬ／ＤＬ構成のＤＬサブフレームセットにおいて定義される。「Ｍｓｅｃｏｎｄａｒｙ」は、ＤＬアソシエーションセット「Ｋｃ」中のサブフレーム「ｎ」に対する要素の数である。
【０１６３】
ＰＣｅｌｌは、ＴＤＤ  ＵＬ／ＤＬ構成１、２、３、４または６のうちの１つに属するＤＬ参照ＵＬ／ＤＬ構成をもつＴＤＤセルであってもよい。言い換えれば、ＰＣｅｌｌのＤＬ参照ＵＬ／ＤＬ構成は、セット｛０，１，２，３，４，６｝におけるＴＤＤ  ＵＬ／ＤＬ構成に属してもよい。そのうえ、セカンダリセルは、ＦＤＤセルであってもよい。「Ｍｓｅｃｏｎｄａｒｙ」は、少なくとも１つのサブフレームにおいて４より大きくてもよい。例えば、ＦＤＤ  ＳＣｅｌｌは、上の表（２）に示されるように、ＦＤＤ  ＳＣｅｌｌの参照構成がＵＬ／ＤＬ構成２、３、４または５であるときに、４つより多いＤＬサブフレームをもつＤＬアソシエーションセットを有してもよい。ＰＣｅｌｌのＤＬ参照ＵＬ／ＤＬ構成がセット｛０，１，２，３，４，６｝におけるＴＤＤ  ＵＬ／ＤＬ構成に属し、「Ｍｓｅｃｏｎｄａｒｙ」が少なくとも１つのサブフレームにおいて４より大きい場合、割り当てられたサブフレームの「Ｍｃｏｎｆｉｇ」の最大数が在圏セルのために設定されるならば、チャネルセレクションを伴うＰＵＣＣＨフォーマット１ｂをサポートできる。このケースでは、「Ｍｃｏｎｆｉｇ」は、４以下である。
【０１６４】
ＴＤＤ  ＣＡは別として、ＵＥ１０２が２つの在圏セルを用いて構成される場合、ＰＣｅｌｌがＴＤＤであり、ＳＣｅｌｌがＦＤＤであり、かつＰＣｅｌｌのＤＬ参照ＵＬ／ＤＬ構成がＴＤＤ  ＵＬ／ＤＬ構成５であるならば、チャネルセレクションを伴うＰＵＣＣＨフォーマット１ｂは、サポートされない。
【０１６５】
ＴＤＤ−ＦＤＤ  ＣＡにおいて、ＰＣｅｌｌのＤＬ参照ＵＬ／ＤＬ構成が｛０，１，２，３，４，６｝のセットにおけるＴＤＤ  ＵＬ／ＤＬ構成に属し、ＳＣｅｌｌのＤＬ参照ＵＬ／ＤＬ構成が少なくとも１つのサブフレームにおいて４つより多い場合、ＵＥ１０２は、チャネルセレクションを伴うＰＵＣＣＨフォーマット１ｂをサポートするためにＦＤＤセカンダリセル上で「Ｍｃｏｎｆｉｇ」を用いて構成されてもよい。「Ｍｃｏｎｆｉｇ」は、固定値（例えば、４）であるか、または上位レイヤ・シグナリングによって設定されてもよい。別の構成では、「Ｍｃｏｎｆｉｇ」は、予め定義されてもよい。この構成では、「Ｍｃｏｎｆｉｇ」は、ＤＬ参照ＵＬ／ＤＬ構成またはＰＣｅｌｌ  ＵＬ／ＤＬ構成に基づいてもよい。チャネルセレクションを伴うＰＵＣＣＨフォーマット１ｂが設定された場合、ＵＥ１０２は、「Ｍｃｏｎｆｉｇ」が設定されていると想定すべきである。
【０１６６】
ＴＤＤ  ＣＡでは、すべての在圏セルがＴＤＤセルである。ＰＣｅｌｌのＤＬ参照ＵＬ／ＤＬ構成がセット｛０，１，２，３，４，６｝におけるＴＤＤ  ＵＬ／ＤＬ構成に属し、ＳＣｅｌｌがＤＬ参照ＵＬ／ＤＬ構成５に属する場合、「Ｍｃｏｎｆｉｇ」がＳＣｅｌｌのために設定されるならば、チャネルセレクションを伴うＰＵＣＣＨフォーマット１ｂをサポートできる。このケースでは、「Ｍｃｏｎｆｉｇ」は、４以下である。ＵＥ１０２は、ＤＣＩフォーマット１／１Ａ／１Ｂ／１Ｄ／２／２Ａ／２Ｂ／２Ｃ／２ＤにおけるＤＡＩの値を検出する。この値は、各設定された在圏セルのサブフレーム（単数または複数）「ｎ−ｋ」内に割り当てられたＰＤＳＣＨ送信（単数または複数）をもつＰＤＣＣＨ／ＥＰＤＣＣＨ（単数または複数）の現在のサブフレームまでの累積数を示し、ここで
ｋ∈Ｋ
である。「Ｋ」は、ＰＣｅｌｌのためのＤＬアソシエーションセットであり、サブフレームごとにアップデートされてもよい。
【０１６７】
上記のように、
【数１０】
2017511016.tif 000017
は、在圏セル「ｃ」でサブフレーム「ｎ−ｋｍ」において表（５）に従ってＵＥ１０２によって検出される、ＤＣＩフォーマット１／１Ａ／１Ｂ／１Ｄ／２／２Ａ／２Ｂ／２Ｃ／２ＤをもつＰＤＣＣＨ／ＥＰＤＣＣＨにおけるＤＡＩの値である。このケースでは、「ｋｍ」は、ＤＬアソシエーションセット「Ｋ」における最小値であり、ここで「Ｋ」は、ＵＥ１０２がＤＣＩフォーマット１／１Ａ／１Ｂ／１Ｄ／２／２Ａ／２Ｂ／２Ｃ／２Ｄを検出するような、ＴＤＤ在圏セルのためのＤＬアソシエーションセットである。ＵＥ１０２は、「Ｍｃｏｎｆｉｇ」より大きいＤＬ  ＤＡＩ値を受信することを予想すべきではない。在圏セルがセカンダリセルである場合、
０≦ｊ≦Ｍｃｏｎｆｉｇ−１
に対して、ＰＤＳＣＨ送信が、対応するＰＤＣＣＨ／ＥＰＤＣＣＨおよび「ｊ＋１」に等しいＰＤＣＣＨ／ＥＰＤＣＣＨ中のＤＡＩ値とともに受信されたならば、ＨＡＲＱ−ＡＣＫ（「ｊ」）が対応するＡＣＫ／ＮＡＣＫ／ＤＴＸ応答であり、そうでない場合には、ＨＡＲＱ−ＡＣＫ（「ｊ」）がＤＴＸにセットされる。
【０１６８】
１つのＴＤＤ  ＣＡのケースでは、ＰＣｅｌｌのＤＬ参照ＵＬ／ＤＬ構成が｛０，１，２，３，４，６｝のセットにおけるＴＤＤ  ＵＬ／ＤＬ構成に属し、ＳＣｅｌｌのＤＬ参照ＵＬ／ＤＬ構成がＴＤＤ  ＵＬ／ＤＬ構成５に属してもよい。このケースでは、ＵＥ１０２は、チャネルセレクションを伴うＰＵＣＣＨフォーマット１ｂをサポートするためにＴＤＤセカンダリセル上で「Ｍｃｏｎｆｉｇ」を用いて構成されてもよい。「Ｍｃｏｎｆｉｇ」は、固定値（例えば、４）であるか、予め定義されるか、または上位レイヤ・シグナリングによって設定されてもよい。ＰＵＣＣＨフォーマット１ｂおよびチャネルセレクションが設定された場合、ＵＥ１０２は、「Ｍｃｏｎｆｉｇ」が設定されていると想定すべきである。
【０１６９】
「Ｍｃｏｎｆｉｇ」が所定のＵＬサブフレーム「ｎ」において「Ｍｓｅｃｏｎｄａｒｙ」より大きい場合、「Ｍｃｏｎｆｉｇ」の代わりに「Ｍｓｅｃｏｎｄａｒｙ」を用いるべきであり、ＨＡＲＱ−ＡＣＫビットは、リリース１０、１１および１２のＰＵＣＣＨレポートに示されるように生成される。例えば、表（２）において、ＤＬ参照ＵＬ／ＤＬ構成３およびＵＬサブフレーム２は、６つのサブフレームをもつサブフレームセットを有し、ＵＬサブフレーム３および４は、対応するサブフレームセット中に２つのサブフレームを有するに過ぎない。それゆえに、「Ｍｃｏｎｆｉｇ」＝４が設定された場合、チャネルセレクションを伴うＰＵＣＣＨフォーマット１ｂに関して、サブフレーム２では「Ｍｃｏｎｆｉｇ」およびＤＬ  ＤＡＩに基づくＨＡＲＱ−ＡＣＫビットを用いるべきであり、サブフレーム３および４ではＰＵＣＣＨレポーティングのために通常の「Ｍｓｅｃｏｎｄａｒｙ」＝２およびＨＡＲＱ−ＡＣＫビットが生成される。
【０１７０】
「Ｍｃｏｎｆｉｇ」が所定のＵＬサブフレーム「ｎ」において「Ｍｓｅｃｏｎｄａｒｙ」より小さい場合、ＦＤＤ在圏セルのＨＡＲＱ−ＡＣＫビットは、ＤＬアソシエーションセット中の順序の代わりにＤＬ  ＤＡＩ
【数１１】
2017511016.tif 000018
の順序に基づいて生成される。そして「Ｍｃｏｎｆｉｇ」ビットのＨＡＲＱ−ＡＣＫがＦＤＤ在圏セルに対して生成される。在圏セルがセカンダリセルである場合、
０≦ｊ≦Ｍｃｏｎｆｉｇ−１
に対して、ＰＤＳＣＨ送信が、対応するＰＤＣＣＨ／ＥＰＤＣＣＨおよび「ｊ＋１」に等しいＰＤＣＣＨ／ＥＰＤＣＣＨ中のＤＡＩ値とともに受信されたならば、ＨＡＲＱ−ＡＣＫ（「ｊ」）が対応するＡＣＫ／ＮＡＣＫ／ＤＴＸ応答であり、そうでない場合には、ＨＡＲＱ−ＡＣＫ（「ｊ」）がＤＴＸにセットされる。
【０１７１】
ＵＥ１０２は、在圏セルにおけるＤＬアソシエーションセットのサブフレーム「ｎ」に対する要素の数（例えば、「Ｍ」）を「Ｍ＝ｍａｘ（Ｍｐｒｉｍａｒｙ，ｍｉｎ（Ｍｓｅｃｏｎｄａｒｙ，Ｍｃｏｎｆｉｇ））」に従って確定する。Ｍｐｒｉｍａｒｙは、プライマリセルのＴＤＤ  ＵＬ／ＤＬ構成に関して上の表（１）で定義されたＤＬアソシエーション「Ｋ」中のサブフレーム「ｎ」に対する要素の数である。「Ｍｓｅｃｏｎｄａｒｙ」は、セカンダリセルのためのＤＬアソシエーションセット「Ｋｃ」中のサブフレーム「ｎ」に対する要素の数である。ＤＬアソシエーションセット「Ｋｃ」は、サブフレーム「ｎ−ｋ」が在圏セル「ｃ」のためのＤＬサブフレームまたはスペシャルサブフレームに対応するような、
ｋ∈Ｋ
の値を含む。ＤＬアソシエーションセット「Ｋ」は、サブフレーム「ｎ」と関連付けられる。ＴＤＤ−ＦＤＤ  ＣＡに対する第１の選択肢では、ＤＬアソシエーションセット「Ｋ」は、ＦＤＤセルのためのＤＬサブフレームセットにおいて定義される。ＴＤＤ−ＦＤＤ  ＣＡに対する第２の選択肢では、ＤＬアソシエーションセット「Ｋ」は、ＤＬ参照ＵＬ／ＤＬ構成のＤＬサブフレームセットにおいて定義される。
【０１７２】
ｍｉｎ（「Ｍｓｅｃｏｎｄａｒｙ」，「Ｍｃｏｎｆｉｇ」）＜「Ｍ」であれば、ＵＥ１０２は、セカンダリセルに関して、ＨＡＲＱ−ＡＣＫ（「ｊ」）を「ｊ」＝ｍｉｎ（「Ｍｓｅｃｏｎｄａｒｙ」，「Ｍｃｏｎｆｉｇ」）から「Ｍ−１」に対してＤＴＸにセットする。
Ｍｐｒｉｍａｒｙ＜Ｍ
であれば、ＵＥ１０２は、プライマリセルに関して、ＨＡＲＱ−ＡＣＫ（「ｊ」）を「ｊ」＝「Ｍｐｒｉｍａｒｙ」から「Ｍ−１」に対してＤＴＸにセットする。
【０１７３】
キャリアアグリゲーションおよびチャネルセレクションを伴うＰＵＣＣＨフォーマット１ｂにおいて、ＰＣｅｌｌのＰＵＣＣＨフォーマット１ｂのリソースは、ＰＤＣＣＨ、ＥＰＤＣＣＨまたはセミパーシステントスケジューリング（ＳＰＳ：Ｓｅｍｉ−Ｐｅｒｓｉｓｔｅｎｔ  Ｓｃｈｅｄｕｌｉｎｇ）に基づいて暗黙的にマッピングされる。従って、ＰＣｅｌｌがＵＬ／ＤＬ構成５を用いて構成されるときにはＴＤＤ  ＰＣｅｌｌ上で「Ｍｃｏｎｆｉｇ」を用いるのは難しいことがある。ＳＣｅｌｌのＰＵＣＣＨフォーマット１ｂのリソースは、上位レイヤによって準静的に設定されてもよい。それゆえに、ＦＤＤまたはＴＤＤ  ＳＣｅｌｌ上での「Ｍｃｏｎｆｉｇ」の使用は、ＰＵＣＣＨリソース・アロケーションに関する問題を何も引き起こさないであろう。「Ｍｃｏｎｆｉｇ」の使用は、ＦＤＤセルが４つより多いサブフレームをもつＤＬアソシエーションセットを有するときのＴＤＤ−ＦＤＤ  ＣＡに対して、およびＴＤＤ  ＳＣｅｌｌがＵＬ／ＤＬ構成５を有するときのＴＤＤ  ＣＡに対してチャネルセレクションを伴うＰＵＣＣＨフォーマット１ｂを有効にすることができる。
【０１７４】
本明細書に記載されるシステムおよび方法は、所定のＵＥ１０２へのＰＤＳＣＨ送信に対して、割り当てられるサブフレームの位置を限定することなくＤＬの最大数を割り当てることができることを規定する。先に考察したＴＤＤ−ＦＤＤ  ＣＡに対する第２の選択肢においても、ＵＬ／ＤＬ構成５がＦＤＤ  ＳＣｅｌｌのＤＬ参照ＵＬ／ＤＬ構成として設定され、かつ「Ｍｃｏｎｆｉｇ」が４以下であり、ＦＤＤ  ＳＣｅｌｌのために設定された場合、図１０に示されるように、チャネルセレクションをやはり用いることができる。従って、記載されるシステムおよび方法は、ｅＮＢ１６０のスケジューリングのためのフレキシビリティを提供し、リリース１０および１１のチャネルセレクション表を用いたＰＵＣＣＨフォーマット１ｂの再使用を可能にする。
【０１７５】
記載されるシステムおよび方法は、さらに、種々のＵＬ／ＤＬ構成を用いたＴＤＤ  ＣＡにおけるＳＣｅｌｌ上のＨＡＲＱ−ＡＣＫビットを減少させる。これは、性能が拡張されたより良好なチャネルセレクション表の活用をもたらす。例えば、現行のリリース１１および１２仕様によれば、「Ｍｐｒｉｍａｒｙ」＝２、および「Ｍｓｅｃｏｎｄａｒｙ」＝４をもつサブフレームでは、チャネルセレクション表は、「Ｍ＝ｍａｘ（Ｍｐｒｉｍａｒｙ，Ｍｓｅｃｏｎｄａｒｙ）」に基づく。しかしながら、ＵＥ１０２上に２または３に等しい「Ｍｃｏｎｆｉｇ」が設定された場合、ＵＥ１０２が「Ｍｃｏｎｆｉｇ」ビットより多くを受信することは予想されない。それゆえに、「Ｍ」＝２または３に基づくチャネルセレクション表を用いることができ、「Ｍ」＝４の表より良好な精度が提供される。
【０１７６】
ＵＥは、チャネルセレクションを伴うＰＵＣＣＨフォーマット１ｂを用いてＰＤＳＣＨ  ＨＡＲＱ−ＡＣＫ情報を送信する（ステップ７０８）。ＵＥ１０２は、ＰＤＳＣＨ  ＨＡＲＱ−ＡＣＫ情報をｅＮＢ１６０へ送信する（ステップ７０８）。ＰＤＳＣＨ  ＨＡＲＱ−ＡＣＫ情報は、サブフレーム「ｎ」においてＰＵＣＣＨフォーマット１ｂレポートで送信される（ステップ７０８）。
【０１７７】
図８は、ＵＥ１０２によってキャリアアグリゲーションを行うための方法８００の別の詳細な構成を示すフロー図である。ＵＥ１０２は、１つ以上のＦＤＤセルおよび１つ以上のＴＤＤセルを用いてキャリアアグリゲーションが行われるワイヤレス通信ネットワーク中に位置する。一実装において、ワイヤレス通信ネットワークは、ＬＴＥネットワークであってもよい。
【０１７８】
ＵＥ１０２は、ＦＤＤまたはＴＤＤ複信のいずれかを用いて在圏セルを通じてｅＮＢ１６０と通信する。在圏セルは、通信チャネル１１９、１２１のセットである。複数の在圏セルが設定されてもよい。キャリアアグリゲーション（ＣＡ）の間に、ＵＥ１０２に対して１つより多い在圏セルがアグリゲートされる。一構成において、プライマリセルが時分割複信（ＴＤＤ）セルであり、セカンダリセルがＦＤＤセル（例えば、ＴＤＤ−ＦＤＤ  ＣＡ）であってもよい。別の構成では、すべての在圏セルがＴＤＤセル（例えば、ＴＤＤ  ＣＡ）であり、ＰＣｅｌｌのＤＬ参照ＵＬ／ＤＬ構成が｛０，１，２，３，４，６｝のセットにおけるＴＤＤ  ＵＬ／ＤＬ構成に属する。さらに別の構成では、すべての在圏セルがＴＤＤセル（例えば、ＴＤＤ  ＣＡ）であり、ＰＣｅｌｌのＤＬ参照ＵＬ／ＤＬ構成がＴＤＤ  ＵＬ／ＤＬ構成５に属する。
【０１７９】
ＵＥ１０２は、ＰＵＣＣＨフォーマット３を用いて構成される（ステップ８０２）。上述のように、ＣＡは、データ送信のためにより多くの潜在的なＤＬおよびＵＬサブフレームを提供する。これは、ＵＥ１０２のピーク・スループットを増加させる。しかしながら、ＤＬおよびＵＬリソースが同じ在圏セルにおける他のＵＥ１０２と共有されるため、単一のＵＥ１０２にすべてのＤＬリソースが割り当てられる可能性は低い。チャネルリソースを異なるＵＥ１０２間でスケジュールするのはｅＮＢ１６０次第である。
【０１８０】
現行のＰＵＣＣＨフォーマット３のＨＡＲＱ−ＡＣＫレポーティングでは、各セルのＡＣＫ／ＮＡＣＫビットは、セルインデックスに基づいて多重される。一構成において、プライマリセルは、セルインデックス０を有し、セカンダリセルのインデックス番号は、プライマリセルの後に番号付けられる。各セルのＡＣＫ／ＮＡＣＫがＤＬアソシエーションセット中のサブフレーム・インデックスに基づいて生成され、ＤＬアソシエーションセット中のすべてのサブフレームのＡＣＫ／ＮＡＣＫがたとえそれらが用いられなくてもレポートされる。これは、不必要なペイロードをＰＵＣＣＨフォーマット３にもたらし、ＵＥ１０２に対して設定できるセルの最大数を限定する。
【０１８１】
先に考察したＴＤＤ−ＦＤＤ  ＣＡに対する第１の選択肢では、ＦＤＤ  ＳＣｅｌｌのための下りリンク・アソシエーションセットは、ＰＣｅｌｌのＤＬ参照ＵＬ／ＤＬ構成が構成２または構成４である場合、５つのサブフレームを有してもよい。そのうえ、ＦＤＤ  ＳＣｅｌｌのための下りリンク・アソシエーションセットは、ＰＣｅｌｌのＤＬ参照構成が構成５である場合には、１０のサブフレームを有してもよい。割り当てられるサブフレームの最大数（例えば、「Ｍｃｏｎｆｉｇ」）が設定されない場合、すべてのサブフレームは、ＰＵＣＣＨフォーマット３でレポートされるべきである。「Ｍｐｒｉｍａｒｙ」または「Ｍｓｅｃｏｎｄａｒｙ」が１より大きく、ある１つのサブフレームで２つのコードワードが送信される場合、ある１つのサブフレームに対して１つのＨＡＲＱ−ＡＣＫビットを生成するために空間バンドリングが行われるべきである。
【０１８２】
１つのケースでは、ＰＣｅｌｌのＤＬ参照ＵＬ／ＤＬ構成がＵＬ／ＤＬ構成２または構成４である場合、各ＦＤＤ  ＳＣｅｌｌは、５  ＨＡＲＱ−ＡＣＫビットを有してもよい。ＨＡＲＱ−ＡＣＫビットの総数を２０ビット未満に維持するために、ＵＥ１０２に対して４つまでのセルを設定できる。
【０１８３】
第２のケースでは、ＰＣｅｌｌのＤＬ参照ＵＬ／ＤＬ構成がＵＬ／ＤＬ構成５である場合、各ＦＤＤ  ＳＣｅｌｌは、１０  ＨＡＲＱ−ＡＣＫビットを有してもよい。ＵＥ１０２に対して２つだけのセルを設定できる。
【０１８４】
第３のケースでは、ＰＣｅｌｌのＤＬ参照ＵＬ／ＤＬ構成がＵＬ／ＤＬ構成３である場合、各ＦＤＤ  ＳＣｅｌｌは、ＵＬサブフレーム２で６ビットをレポートしてもよい。このケースでは、ＵＥ１０２に対して３つのセルを設定できる。しかしながら、ＵＬ／ＤＬ構成３に対してセット中のサブフレームの最大数が４以下であるように異なるＤＬアソシエーションセットが定義されてもよく、ＵＥ１０２に対して５つまでの在圏セルが設定されてもよい。
【０１８５】
先に考察したＴＤＤ−ＦＤＤ  ＣＡに対する第２の選択肢では、ＤＬ参照ＵＬ／ＤＬ構成としてＵＬ／ＤＬ構成５が設定された場合、各ＦＤＤ  ＳＣｅｌｌは、９  ＨＡＲＱ−ＡＣＫビットを有してもよい。このケースでは、ＵＥ１０２に対して２つだけのセルをアグリゲートできる。
【０１８６】
ＵＥ１０２は、在圏セルのためのＤＬアソシエーションセット中のサブフレームに対してＤＬアサインメントをもつ要素の最大数を定義する第１のパラメータを確定する（ステップ８０４）。これは、図２に関連して記載されるように達成される。一構成において、第１のパラメータは、「Ｍｃｏｎｆｉｇ，ｃ」である。ＵＥ１０２は、ＰＵＣＣＨフォーマット３上でのＨＡＲＱ−ＡＣＫ多重を拡張するために第１のパラメータを用いて構成される。
【０１８７】
ＵＥ１０２は、在圏セルに関するＰＤＳＣＨ  ＨＡＲＱ−ＡＣＫ情報を生成する（ステップ８０６）。一構成において、ＵＥ１０２は、在圏セルのためのＤＬアソシエーションセット中のサブフレームに対してＤＬアサインメントをもつ要素の数と、第１のパラメータとの間の最小数（例えば、「Ｍ＝ｍｉｎ（Ｍｃ，Ｍｃｏｎｆｉｇ，ｃ）」に基づいて、所定のセル「ｃ」に関するＨＡＲＱ−ＡＣＫビットを生成する（ステップ８０６）。言い換えれば、ＵＥ１０２は、所定のセル「ｃ」に関する「Ｍ＝ｍｉｎ（Ｍｃ，Ｍｃｏｎｆｉｇ，ｃ）」ＨＡＲＱ−ＡＣＫビットを生成する（ステップ８０６）。
【０１８８】
上りリンクサブフレームにおいて、設定された「Ｍｃｏｎｆｉｇ，ｃ」が所定の在圏セルの対応する「Ｍｃ」より小さい場合（ここで「Ｍｃ」は、ＤＬアソシエーションセット「Ｋｃ」中の要素の数である）、ＵＥ１０２は、所定のＳＣｅｌｌのＨＡＲＱ−ＡＣＫレポーティングに関して設定された「Ｍｃｏｎｆｉｇ，ｃ」に従い、レポーティングＳＣｅｌｌのＡＣＫ／ＮＡＣＫビットは、サブフレーム位置の代わりにＤＡＩインデックスに従うことになろう。言い換えれば、「Ｍｃ」＞「Ｍｃｏｎｆｉｇ，ｃ」であれば、検出されたＤＬ  ＤＡＩ値に基づいて「Ｍｃｏｎｆｉｇ，ｃ」ＨＡＲＱ−ＡＣＫビットが生成される（ステップ８０６）。
【０１８９】
設定された「Ｍｃｏｎｆｉｇ，ｃ」が所定の在圏セルの対応する「Ｍｃ」より大きければ、ＵＥ１０２は、所定のＳＣｅｌｌのＨＡＲＱ−ＡＣＫレポーティングに関して「Ｍｃ」に従い、レポーティングＳＣｅｌｌのＡＣＫ／ＮＡＣＫビットは、ＤＬアソシエーションセットにおけるサブフレーム位置の順序に従う。言い換えれば、「Ｍｃ」＜「Ｍｃｏｎｆｉｇ，ｃ」であれば、ＤＬサブフレームセット中のサブフレーム順序付けに基づいて「Ｍｃ」ＨＡＲＱ−ＡＣＫビットが生成される（ステップ８０６）。
【０１９０】
いくつかの構成において、「Ｍｃｏｎｆｉｇ，ｃ」＝「Ｍｃｏｎｆｉｇ」である。そのうえ、いくつかの構成において、「Ｍｃｏｎｆｉｇ，ｃ」は、ＵＥ１０２のためのセカンダリセルごとに設定される。すべての在圏セルのＨＡＲＱ−ＡＣＫビットは、多重されてＰＵＣＣＨフォーマット３上でレポートされる。
【０１９１】
「Ｍｃｏｎｆｉｇ，ｃ」の使用によって、上りリンクサブフレームでは、設定された「Ｍｃｏｎｆｉｇ，ｃ」が所定の在圏セルの対応する「Ｍｃ」より小さい場合、ＵＥ１０２は、ＨＡＲＱ−ＡＣＫビットの順序付けおよび多重を確定するために、ＤＣＩフォーマット１／１Ａ／１Ｂ／１Ｄ／２／２Ａ／２Ｂ／２Ｃ／２Ｄ中にファイルされたＤＬ  ＤＡＩをモニタすべきである。受信した最大ＤＬ  ＤＡＩが「Ｍｃｏｎｆｉｇ，ｃ」より小さい場合、残りのビットはＤＴＸにセットされる。ＰＵＣＣＨフォーマット３が設定された場合、「Ｍｃｏｎｆｉｇ，ｃ」を用いて構成されたセルでは、所定のセルに関して「Ｍｃ」の代わりに「Ｍｃｏｎｆｉｇ，ｃ」ビットのみがレポートされる。
【０１９２】
ＵＥ１０２は、ＤＣＩフォーマット１／１Ａ／１Ｂ／１Ｄ／２／２Ａ／２Ｂ／２Ｃ／２ＤにおけるＤＡＩの値を検出すべきであり、この値は、各設定された在圏セルのサブフレーム（単数または複数）「ｎ−ｋ」内に割り当てられたＰＤＳＣＨ送信（単数または複数）をもつＰＤＣＣＨ／ＥＰＤＣＣＨ（単数または複数）の現在のサブフレームまでの累積数を示す。このケースでは、
ｋ∈Ｋ
であり、「Ｋ」は、ＦＤＤセルのためのＤＬアソシエーションセットであり、サブフレームごとにアップデートされてもよい。上記のように、
【数１２】
2017511016.tif 000019
は、在圏セル「ｃ」でサブフレーム「ｎ−ｋｍ」において表（５）に従ってＵＥ１０２によって検出されたＤＣＩフォーマット１／１Ａ／１Ｂ／１Ｄ／２／２Ａ／２Ｂ／２Ｃ／２ＤをもつＰＤＣＣＨ／ＥＰＤＣＣＨにおけるＤＡＩの値である。「ｋｍ」は、ＤＬアソシエーションセット「Ｋ」における最小値であり、ここで「Ｋ」は、ＵＥ１０２がＤＣＩフォーマット１／１Ａ／１Ｂ／１Ｄ／２／２Ａ／２Ｂ／２Ｃ／２Ｄを検出するようなＦＤＤセルのためのＤＬアソシエーションセットである。ＵＥ１０２は、「Ｍｃｏｎｆｉｇ，ｃ」より大きいＤＬ  ＤＡＩ値を受信することを予想すべきではない。
【０１９３】
在圏セルがセカンダリセルである場合、
０≦ｊ≦Ｍｃｏｎｆｉｇ−１
に対して、ＰＤＳＣＨ送信が、対応するＰＤＣＣＨ／ＥＰＤＣＣＨおよび「ｊ＋１」に等しいＰＤＣＣＨ／ＥＰＤＣＣＨ中のＤＡＩ値とともに受信されたならば、ＨＡＲＱ−ＡＣＫ（「ｊ」）が対応するＡＣＫ／ＮＡＣＫ／ＤＴＸ応答であり、そうでない場合には、ＨＡＲＱ−ＡＣＫ（「ｊ」）がＤＴＸにセットされる。在圏セルがプライマリセルであり、サブフレーム（単数または複数）「ｎ−ｋ」内にプライマリセル上のＰＤＳＣＨ送信があり、対応するＰＤＣＣＨ／ＥＰＤＣＣＨが検出されず、ここでｋがプライマリセルの
ｋ∈Ｋ
である場合、ＨＡＲＱ−ＡＣＫ（０）が対応するＰＤＣＣＨ／ＥＰＤＣＣＨのないＰＤＳＣＨ送信に対するＡＣＫ／ＮＡＣＫ／ＤＴＸ応答である。
【０１９４】
１≦ｊ≦Ｍｃｏｎｆｉｇ−１
に対して、ＰＤＳＣＨ送信が、対応するＰＤＣＣＨ／ＥＰＤＣＣＨおよび「ｊ」に等しいＰＤＣＣＨ／ＥＰＤＣＣＨ中のＤＡＩ値とともに、または下りリンクＳＰＳ解除を示すＰＤＣＣＨ／ＥＰＤＣＣＨおよび「ｊ」に等しいＰＤＣＣＨ／ＥＰＤＣＣＨ中のＤＡＩ値とともに受信された場合、ＨＡＲＱ−ＡＣＫ（「ｊ」）が対応するＡＣＫ／ＮＡＣＫ／ＤＴＸ応答であり、そうでない場合には、ＨＡＲＱ−ＡＣＫ（「ｊ」）がＤＴＸにセットされる。
【０１９５】
在圏セルがプライマリセルであり、サブフレーム（単数または複数）「ｎ−ｋ」内にプライマリセル上のＰＤＳＣＨ送信が何もなく、対応するＰＤＣＣＨ／ＥＰＤＣＣＨが検出されず、ここでｋがプライマリセルの
ｋ∈Ｋ
である場合、
０≦ｊ≦Ｍｃｏｎｆｉｇ−１
および｛１，２，３，４，６｝に属するプライマリセルのＴＤＤ  ＵＬ／ＤＬ構成に対して、ＰＤＳＣＨ送信が対応するＰＤＣＣＨ／ＥＰＤＣＣＨおよび「ｊ＋１」に等しいＰＤＣＣＨ／ＥＰＤＣＣＨ中のＤＡＩ値とともに、または下りリンクＳＰＳ解除を示すＰＤＣＣＨ／ＥＰＤＣＣＨおよび「ｊ＋１」に等しいＰＤＣＣＨ／ＥＰＤＣＣＨ中のＤＡＩ値とともに受信されたならば、ＨＡＲＱ−ＡＣＫ（「ｊ」）が対応するＡＣＫ／ＮＡＣＫ／ＤＴＸ応答であり、そうでない場合には、ＨＡＲＱ−ＡＣＫ（「ｊ」）がＤＴＸにセットされる。
【０１９６】
０≦ｊ≦Ｍｃｏｎｆｉｇ−１
およびＴＤＤ  ＵＬ／ＤＬ構成０をもつプライマリセルに対して、ＰＤＳＣＨ送信が対応するＰＤＣＣＨ／ＥＰＤＣＣＨまたは下りリンクＳＰＳ解除を示すＰＤＣＣＨ／ＥＰＤＣＣＨとともに受信されたならば、ＨＡＲＱ−ＡＣＫ（０）は、対応するＡＣＫ／ＮＡＣＫ／ＤＴＸ応答であり、そうでない場合には、ＨＡＲＱ−ＡＣＫ（ｊ）は、ＤＴＸにセットされる。
【０１９７】
ＤＬアソシエーションセット中のサブフレームの数（例えば、「Ｍｃ」）の代わりの「Ｍｃｏｎｆｉｇ，ｃ」の使用は、ＰＵＣＣＨフォーマット３のレポーティングのＨＡＲＱ−ＡＣＫペイロードを減少させる。これは、ＨＡＲＱ−ＡＣＫフィードバックの信頼性を向上させる。セルのためのＡＣＫ／ＮＡＣＫビットを減少させることによって、たとえＳＣｅｌｌがＤＬ参照ＵＬ／ＤＬ構成として構成５を用いて構成されても、２つより多いキャリアをサポートできる。例えば、「Ｍｃｏｎｆｉｇ，ｃ」が設定された場合、ＴＤＤ−ＦＤＤ  ＣＡのＵＥ１０２は、より多くのキャリアを用いて構成されてもよい。
【０１９８】
ＴＤＤ−ＦＤＤ  ＣＡに対する第１の選択肢では、ＰＣｅｌｌのＤＬ参照ＵＬ／ＤＬ構成が構成２または構成４である場合、各ＳＣｅｌｌは、５  ＨＡＲＱ−ＡＣＫビットを有してもよい。「Ｍｃｏｎｆｉｇ，ｃ」が４以下である場合、ＵＥ１０２に対して５つまでのセルがアグリゲートされてもよい。
【０１９９】
ＴＤＤ−ＦＤＤ  ＣＡおよび／またはＴＤＤ  ＣＡにおいて、ＵＥ１０２がＰＵＣＣＨフォーマット３を用いて構成される場合、ＵＥ１０２の設定されたセルの最大数は、在圏セルの「Ｍｃｏｎｆｉｇ，ｃ」によって確定される。ＴＤＤ−ＦＤＤ  ＣＡでは、ＰＣｅｌｌがＴＤＤセルであり、ＦＤＤセカンダリセルのＤＬ参照ＵＬ／ＤＬ構成として構成５が用いられる場合、ＵＥ１０２に対して２つより多い在圏セルが設定されてもよい。例えば、「Ｍｃｏｎｆｉｇ，ｃ」＝４であれば、ＵＥ１０２に対して５つまでのセルが設定されてもよい。ＴＤＤ  ＣＡでは、在圏セル（ＰＣｅｌｌまたはＳＣｅｌｌ）のＤＬ参照ＵＬ／ＤＬ構成としてＵＬ／ＤＬ構成５が用いられる場合、ＵＥ１０２に対して２つより多い在圏セルが設定されてもよい。例えば、「Ｍｃｏｎｆｉｇ，ｃ」＝４であれば、ＵＥ１０２に対して５つまでのセルが設定されてもよい。
【０２００】
たとえＳＣｅｌｌのＤＬ参照ＵＬ／ＤＬ構成がＵＬ／ＤＬ構成５であっても、在圏セルが「Ｍｃｏｎｆｉｇ，ｃ」を用いて構成される場合には、ＵＥ１０２に対してより多くのセルをアグリゲートできる。例として、ＰＣｅｌｌがＵＬ／ＤＬ構成５ではなく、ＳＣｅｌｌが４以下の「Ｍｃｏｎｆｉｇ，ｃ」を用いて構成される場合、５つまでのセルをアグリゲートできる。ＰＣｅｌｌがＵＬ／ＤＬ構成５であり、ＰＣｅｌｌおよびＳＣｅｌｌの両方に４以下の「Ｍｃｏｎｆｉｇ，ｃ」が適用される場合、ＵＥ１０２に対して５つまでのセルが設定されてもよい。「Ｍｃｏｎｆｉｇ，ｃ」が５であれば、ＵＥ１０２に対して４つまでのセルが設定されてもよい。「Ｍｃｏｎｆｉｇ，ｃ」が６であれば、ＵＥ１０２に対して３つまでのセルが設定されてもよい。
【０２０１】
「Ｍｃｏｎｆｉｇ，ｃ」は、ＦＤＤセル上で適用されてもよい。「Ｍｃｏｎｆｉｇ，ｃ」は、ＴＤＤセル上でも適用されてもよい。「Ｍｃｏｎｆｉｇ，ｃ」は、セル固有であってもよい。「Ｍｃｏｎｆｉｇ，ｃ」は、ＵＥ固有であってもよく、すべての設定されたセル上で適用されてもよい。
【０２０２】
「Ｍｃｏｎｆｉｇ，ｃ」は、２つより多いセルをサポートするために、ＵＬ／ＤＬ構成５を用いたＴＤＤ  ＣＡに適用されてもよい。在圏セルが４以下の「Ｍｃｏｎｆｉｇ，ｃ」を用いて構成される場合、ＵＥ１０２に対して５つまでのセルを設定できる。「Ｍｃｏｎｆｉｇ，ｃ」が５であれば、ＵＥ１０２に対して４つまでのセルを設定できる。「Ｍｃｏｎｆｉｇ，ｃ」が６であれば、ＵＥ１０２に対して３つまでのセルを設定できる。
【０２０３】
「Ｍｃｏｎｆｉｇ，ｃ」は、ＰＵＣＣＨフィードバックのペイロードを減少させるためにＴＤＤ  ＣＡまたはＴＤＤ−ＦＤＤ  ＣＡにおいても適用できる。在圏セルが「Ｍｃ」＝４を有する場合、ＵＥ１０２が所定の在圏セルに関して「Ｍｃ」ビットの代わりに「Ｍｃｏｎｆｉｇ，ｃ」ビットのみをレポートするようにより小さい「Ｍｃｏｎｆｉｇ，ｃ」が設定されてもよい。
【０２０４】
ＵＥは、ＰＤＳＣＨ  ＨＡＲＱ−ＡＣＫ情報をＰＵＣＣＨフォーマット３を用いて送信する（ステップ８０８）。ＵＥ１０２は、ＰＤＳＣＨ  ＨＡＲＱ−ＡＣＫ情報をｅＮＢ１６０へ送信する（ステップ８０８）。ＰＤＳＣＨ  ＨＡＲＱ−ＡＣＫ情報は、サブフレーム「ｎ」においてＰＵＣＣＨフォーマット３レポートで送信される（ステップ８０８）。
【０２０５】
図９は、ＴＤＤ  ＰＣｅｌｌ９５３およびＦＤＤ  ＳＣｅｌｌ９５５のアソシエーション・タイミングの一構成を示す。この例では、ＴＤＤ  ＰＣｅｌｌ９５３およびＦＤＤ  ＳＣｅｌｌ９５５がＴＤＤ−ＦＤＤ  ＣＡのために設定される。図９は、上記のＴＤＤ−ＦＤＤ  ＣＡに対する第１の選択肢の例を示す。この１の選択肢では、ＦＤＤ  ＤＬアソシエーションセット９５７のＨＡＲＱ−ＡＣＫがＴＤＤ  ＰＣｅｌｌ９５３のサブセットまたはすべての上りリンクサブフレームへレポートされるように、ＦＤＤ  ＤＬアソシエーションセット９５７がＦＤＤ  ＳＣｅｌｌ９５５に対して定義される。
【０２０６】
ＴＤＤ  ＰＣｅｌｌ９５３は、図５に関連して先に記載されたように、ＵＬ／ＤＬ構成５３７を用いて構成されてもよい。このケースでは、ＴＤＤ  ＰＣｅｌｌ９５３は、ＵＬ／ＤＬ構成ｔｗｏ  ５３７ｃを用いて構成される。しかしながら、他のＵＬ／ＤＬ構成５３７が用いられてもよい。ＦＤＤ  ＳＣｅｌｌ９５５に関しては、図６に関連して先に記載されたように、それぞれの下りリンクサブフレーム６４９が１ｍｓである。
【０２０７】
ＦＤＤ  ＤＬアソシエーションセット９５７のためのＰＤＳＣＨ  ＨＡＲＱ−ＡＣＫアソシエーション９４１が、対応するＴＤＤ  ＰＣｅｌｌ９５３のサブフレームとともに示される。この例では、ＦＤＤ  ＤＬアソシエーションセット９５７は、４つより多いサブフレームを有する。ＦＤＤセルのＤＬアソシエーションセット９５７は、５つのＤＬサブフレームを含む。
【０２０８】
図１０は、ＴＤＤ  ＰＣｅｌｌ１０５３およびＦＤＤ  ＳＣｅｌｌ１０５５のアソシエーション・タイミングの別の構成を示す。この例では、ＴＤＤ−ＦＤＤ  ＣＡのためにＴＤＤ  ＰＣｅｌｌ１０５３およびＦＤＤ  ＳＣｅｌｌ１０５５が設定される。図１０は、上記のＴＤＤ−ＦＤＤ  ＣＡに対する第２の選択肢の例を示す。ＴＤＤ−ＦＤＤ  ＣＡのためのこの第２の選択肢においては、ＤＬ参照ＵＬ／ＤＬ構成は、ＦＤＤ  ＳＣｅｌｌ１０５５に関するＲＲＣシグナリングによって設定される。
【０２０９】
ＴＤＤ  ＰＣｅｌｌ１０５３は、図５に関連して先に記載されたように、ＵＬ／ＤＬ構成５３７を用いて構成される。このケースでは、ＴＤＤ  ＰＣｅｌｌ１０５３は、ＵＬ／ＤＬ構成ｏｎｅ５３７ｂを用いて構成される。ＦＤＤ  ＳＣｅｌｌ１０５５に関しては、図６に関連して先に記載されたように、それぞれの下りリンクサブフレームが１ｍｓである。ＦＤＤ  ＳＣｅｌｌ１０５５は、ＤＬ参照ＵＬ／ＤＬ構成としてＵＬ／ＤＬ構成ｆｉｖｅ５３７ｆを用いて構成される。
【０２１０】
ＦＤＤ  ＤＬアソシエーションセット１０５７のためのＰＤＳＣＨ  ＨＡＲＱ−ＡＣＫアソシエーション１０４１が、対応するＴＤＤ  ＰＣｅｌｌ１０５３のサブフレームとともに示される。この例では、ＦＤＤ  ＤＬアソシエーションセット１０５７は、４つより多いサブフレームを有する。このケースでは、９つのＤＬサブフレームがＦＤＤ  ＤＬアソシエーションセット１０５７中に含まれる。
【０２１１】
図１１は、ＵＥ１１０２において利用される様々なコンポーネントを示す。図１１に関連して記載されるＵＥ１１０２は、図１に関連して記載されたＵＥ１０２に従って実装される。ＵＥ１１０２は、ＵＥ１１０２のオペレーションを制御するプロセッサ１１６１を含む。プロセッサ１１６１は、中央処理装置（ＣＰＵ：ｃｅｎｔｒａｌ  ｐｒｏｃｅｓｓｉｎｇ  ｕｎｉｔ）とも呼ばれる。メモリ１１６７は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、あるいは情報を記憶する任意のタイプのデバイスを含み、プロセッサ１１６１に命令１１６３ａおよびデータ１１６５ａを供給する。メモリ１１６７の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）も含んでもよい。命令１１６３ｂおよびデータ１１６５ｂは、プロセッサ１１６１にも存在する。プロセッサ１１６１に読み込まれた命令１１６３ｂおよび／またはデータ１１６５ｂは、プロセッサ１１６１による実行または処理のために読み込まれた、メモリ１１６７からの命令１１６３ａおよび／またはデータ１１６５ａも含む。命令１１６３ｂは、上記の方法２００、７００および８００の１つ以上を実装するためにプロセッサ１１６１によって実行される。
【０２１２】
ＵＥ１１０２は、データの送受信を可能にするための１つ以上の送信機１１５８および１つ以上の受信機１１２０が入った筺体も含む。送信機（単数または複数）１１５８および受信機（単数または複数）１１２０は、１つ以上のトランシーバ１１１８に組み合わされてもよい。１つ以上のアンテナ１１２２ａ〜ｎは、筺体に取り付けられて、トランシーバ１１１８に電気的に結合される。
【０２１３】
ＵＥ１１０２の様々なコンポーネントは、データバスに加えて、電力バス、制御信号バスおよびステータス信号バスを含む、バスシステム１１６９によって結合される。しかしながら、明確さのために、図１１では様々なバスがバスシステム１１６９として示される。ＵＥ１１０２は、信号処理用のデジタル信号プロセッサ（ＤＳＰ：ｄｉｇｉｔａｌ  ｓｉｇｎａｌ  ｐｒｏｃｅｓｓｏｒ）１１７１も含んでもよい。ＵＥ１１０２は、ＵＥ１１０２の機能へのユーザ・アクセスを提供する通信インターフェース１１７３も含んでもよい。図１１に示されるＵＥ１１０２は、具体的なコンポーネントのリスティングではなく、機能ブロック図である。
【０２１４】
図１２は、ｅＮＢ１２６０において利用される様々なコンポーネントを示す。図１２に関連して記載されるｅＮＢ１２６０は、図１に関連して記載されたｅＮＢ１６０に従って実装される。ｅＮＢ１２６０は、ｅＮＢ１２６０のオペレーションを制御するプロセッサ１２６１を含む。プロセッサ１２６１は、中央処理装置（ＣＰＵ）とも呼ばれる。メモリ１２６７は、リードオンリメモリ（ＲＯＭ）、ランダムアクセスメモリ（ＲＡＭ）、これら２つの組み合わせ、あるいは情報を記憶する任意のタイプのデバイスを含み、プロセッサ１２６１に命令１２６３ａおよびデータ１２６５ａを供給する。メモリ１２６７の一部分は、不揮発性ランダムアクセスメモリ（ＮＶＲＡＭ）も含んでもよい。命令１２６３ｂおよびデータ１２６５ｂは、プロセッサ１２６１にも存在する。プロセッサ１２６１に読み込まれた命令１２６３ｂおよび／またはデータ１２６５ｂは、プロセッサ１２６１による実行または処理のために読み込まれた、メモリ１２６７からの命令１２６３ａおよび／またはデータ１２６５ａも含む。命令１２６３ｂは、上記の方法３００を実装するためにプロセッサ１２６１によって実行される。
【０２１５】
ｅＮＢ１２６０は、データの送受信を可能にするための１つ以上の送信機１２１７および１つ以上の受信機１２７８が入った筺体も含む。送信機（単数または複数）１２１７および受信機（単数または複数）１２７８は、１つ以上のトランシーバ１２７６に組み合わされてもよい。１つ以上のアンテナ１２８０ａ〜ｎは、筺体に取り付けられて、トランシーバ１２７６に電気的に結合される。
【０２１６】
ｅＮＢ１２６０の様々なコンポーネントは、データバスに加えて、電力バス、制御信号バスおよびステータス信号バスを含む、バスシステム１２６９によって結合される。しかしながら、明確さのために、図１２では様々なバスがバスシステム１２６９として示される。ｅＮＢ１２６０は、信号処理用のデジタル信号プロセッサ（ＤＳＰ）１２７１も含んでもよい。ｅＮＢ１２６０は、ｅＮＢ１２６０の機能へのユーザ・アクセスを提供する通信インターフェース１２７３も含んでもよい。図１２に示されるｅＮＢ１２６０は、具体的なコンポーネントのリスティングではなく、機能ブロック図である。
【０２１７】
図１３は、キャリアアグリゲーションを行うためのシステムおよび方法が実装されたＵＥ１３０２の一実装を示すブロック図である。ＵＥ１３０２は、送信手段１３５８、受信手段１３２０および制御手段１３２４を含む。送信手段１３５８、受信手段１３２０および制御手段１３２４は、上の図２、図７および図８に関連して記載された機能の１つ以上を行うように構成される。上の図１１は、図１３の具体的な装置構造の一例を示す。図２、図７、図８および図１１の機能の１つ以上を実現するために他の様々な構造が実装されてもよい。例えば、ＤＳＰがソフトウェアによって実現されてもよい。
【０２１８】
図１４は、キャリアアグリゲーションを行うためのシステムおよび方法が実装されたｅＮＢ１４６０の一実装を示すブロック図である。ｅＮＢ１４６０は、送信手段１４１７、受信手段１４７８および制御手段１４８２を含む。送信手段１４１７、受信手段１４７８および制御手段１４８２は、上の図３に関連して記載された機能の１つ以上を行うように構成される。上の図１２は、図１１の具体的な装置構造の一例を示す。図３および図１２の機能の１つ以上を実現するために他の様々な構造が実装されてもよい。例えば、ＤＳＰがソフトウェアによって実現されてもよい。
【０２１９】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０２２０】
留意すべきは、本明細書に記載される方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ）、大規模集積回路（ＬＳＩ）または集積回路などで実装されてもよく、および／またはそれらを用いて実現されてもよい。
【０２２１】
本明細書に開示されるそれぞれの方法は、記載される方法を達成するための１つ以上のステップまたは動作を備える。本方法のステップおよび／または動作は、特許請求の範囲から逸脱することなく、相互に交換されてもよく、および／または単一のステップに組み合わされてもよい。言い換えれば、記載される方法の適切なオペレーションのためにステップまたは動作の特定の順序が必要とされない限り、特定のステップおよび／または動作の順序および／または使用は、特許請求の範囲から逸脱することなく修正されてもよい。
【０２２２】
当然のことながら、特許請求の範囲は、先に示された通りの構成および構成要素には限定されない。特許請求の範囲から逸脱することなく、本明細書に記載される配置、オペレーション、ならびにシステム、方法および装置の詳細に様々な修正、変更および変形がなされてもよい。
【図１】
2017511016.tif 000020
【図２】
2017511016.tif 000021
【図３】
2017511016.tif 000022
【図４】
2017511016.tif 000023
【図５】
2017511016.tif 000024
【図６】
2017511016.tif 000025
【図７】
2017511016.tif 000026
【図８】
2017511016.tif 000027
【図９】
2017511016.tif 000028
【図１０】
2017511016.tif 000029
【図１１】
2017511016.tif 000030
【図１２】
2017511016.tif 000031
【図１３】
2017511016.tif 000032
【図１４】
2017511016.tif 000033
【国際調査報告】
2017511016.tif 000034
2017511016.tif 000035